(57)【特許請求の範囲】
【請求項１】
表示部と、
前記表示部の周囲に配置される複数の操作ダイヤルと、
前記表示部の表示を制御する表示制御部と、
を備え、
前記操作ダイヤルが操作されていない場合、前記表示制御部は、カメラの設定内容を前記表示部に表示し、
前記操作ダイヤルが操作されている場合、前記表示制御部は、前記カメラの設定内容、及び、操作された前記操作ダイヤルのイメージ画像を前記表示部に表示する、
カメラ。
【請求項２】
前記操作ダイヤルが操作された場合、前記表示制御部は、前記操作ダイヤルの操作に連動して前記操作ダイヤルのイメージ画像を回転させる、
請求項１に記載のカメラ。
【請求項３】
前記操作ダイヤルが操作されていない場合、前記表示制御部は、前記カメラの設定内容に加えて、各前記操作ダイヤルの縮小画像を前記表示部に表示し、
前記操作ダイヤルが操作された場合、前記表示制御部は、操作された前記操作ダイヤルの縮小画像を拡大し、操作された前記操作ダイヤルのイメージ画像を前記表示部に表示する、
請求項１又は２に記載のカメラ。
【請求項４】
前記操作ダイヤルをロックする操作ダイヤルロック部を更に備え、
前記表示制御部は、ロックが解除されている前記操作ダイヤルの縮小画像を前記表示部に表示する、
請求項３に記載のカメラ。
【請求項５】
前記操作ダイヤルが操作されていない場合、前記表示制御部は、前記カメラの設定内容に加えて、各前記操作ダイヤルのイメージ画像の一部を前記表示部の縁部から表示し、
前記操作ダイヤルが操作された場合、前記表示制御部は、操作された前記操作ダイヤルのイメージ画像を前記縁部から前記表示部に進出させて表示する、
請求項１又は２に記載のカメラ。
【請求項６】
前記操作ダイヤルをロックする操作ダイヤルロック部を更に備え、
前記表示制御部は、ロックが解除されている前記操作ダイヤルのイメージ画像の一部を前記表示部の縁部から表示する、
請求項５に記載のカメラ。
【請求項７】
一定時間内に複数の前記操作ダイヤルが操作された場合、前記表示制御部は、操作された複数の前記操作ダイヤルのイメージ画像を前記表示部に表示する、
請求項１から６のいずれか１項に記載のカメラ。
【請求項８】
前記表示制御部は、操作した順に重ねて前記操作ダイヤルのイメージ画像を前記表示部に表示し、最後に操作した前記操作ダイヤルのイメージ画像を最上位に表示する、
請求項７に記載のカメラ。
【請求項９】
全ての前記操作ダイヤルのイメージ画像の表示を指示する表示指示部を更に備え、
前記表示制御部は、前記表示指示部からの指示に応じて、全ての前記操作ダイヤルのイメージ画像を前記表示部に表示する、
請求項１から８のいずれか１項に記載のカメラ。
【請求項１０】
前記操作ダイヤルの少なくとも一つに、外周の一部がカメラボディの外表面に露出して配置された第１の操作ダイヤルを含み、
前記表示制御部は、前記第１の操作ダイヤルのイメージ画像を前記表示部に表示する場合、前記カメラボディから露出した前記第１の操作ダイヤルの一部を延長した円弧状の外形形状を有する画像を前記第１の操作ダイヤルのイメージ画像として前記表示部に表示する、
請求項１から９のいずれか１項に記載のカメラ。
【請求項１１】
表示部と、
前記表示部の周囲に配置される複数の操作ダイヤルと、
各前記操作ダイヤルへの接触を検出する接触検出部と、
前記表示部の表示を制御する表示制御部と、
を備え、
前記操作ダイヤルへの接触が検出されていない場合、前記表示制御部は、カメラの設定内容を前記表示部に表示し、
前記操作ダイヤルへの接触が検出されている場合、前記表示制御部は、前記カメラの設定内容、及び、接触が検出された前記操作ダイヤルのイメージ画像を前記表示部に表示し、
前記操作ダイヤルへの接触が検出されていない場合、前記表示制御部は、前記カメラの設定内容に加えて、各前記操作ダイヤルの縮小画像を前記表示部に表示し、
前記操作ダイヤルへの接触が検出された場合、前記表示制御部は、接触が検出された前記操作ダイヤルの縮小画像を拡大し、接触が検出された前記操作ダイヤルのイメージ画像を前記表示部に表示する、
カメラ。
【請求項１２】
前記操作ダイヤルをロックする操作ダイヤルロック部を更に備え、
前記表示制御部は、ロックが解除されている前記操作ダイヤルの縮小画像を前記表示部に表示する、
請求項１１に記載のカメラ。
【請求項１３】
表示部と、
前記表示部の周囲に配置される複数の操作ダイヤルと、
各前記操作ダイヤルへの接触を検出する接触検出部と、
前記表示部の表示を制御する表示制御部と、
を備え、
前記操作ダイヤルへの接触が検出されていない場合、前記表示制御部は、カメラの設定内容を前記表示部に表示し、
前記操作ダイヤルへの接触が検出されている場合、前記表示制御部は、前記カメラの設定内容、及び、接触が検出された前記操作ダイヤルのイメージ画像を前記表示部に表示し、
前記操作ダイヤルへの接触が検出されていない場合、前記表示制御部は、前記カメラの設定内容に加えて、各前記操作ダイヤルのイメージ画像の一部を前記表示部の縁部から表示し、
前記操作ダイヤルへの接触が検出された場合、前記表示制御部は、接触が検出された前記操作ダイヤルのイメージ画像を前記縁部から前記表示部に進出させて表示する、
カメラ。
【請求項１４】
前記操作ダイヤルをロックする操作ダイヤルロック部を更に備え、
前記表示制御部は、ロックが解除されている前記操作ダイヤルのイメージ画像の一部を前記表示部の縁部から表示する、
請求項１３に記載のカメラ。
【請求項１５】
表示部と、
前記表示部の周囲に配置される複数の操作ダイヤルと、
各前記操作ダイヤルへの接触を検出する接触検出部と、
前記表示部の表示を制御する表示制御部と、
を備え、
前記操作ダイヤルへの接触が検出されていない場合、前記表示制御部は、カメラの設定内容を前記表示部に表示し、
前記操作ダイヤルへの接触が検出されている場合、前記表示制御部は、前記カメラの設定内容、及び、接触が検出された前記操作ダイヤルのイメージ画像を前記表示部に表示し、
前記操作ダイヤルへの接触が検出された場合、前記表示制御部は、各前記操作ダイヤルの縮小画像を前記表示部に表示し、
前記操作ダイヤルが操作された場合、前記表示制御部は、操作された前記操作ダイヤルの縮小画像を拡大し、操作された前記操作ダイヤルのイメージ画像を前記表示部に表示する、
カメラ。
【請求項１６】
表示部と、
前記表示部の周囲に配置される複数の操作ダイヤルと、
各前記操作ダイヤルへの接触を検出する接触検出部と、
前記表示部の表示を制御する表示制御部と、
を備え、
前記操作ダイヤルへの接触が検出されていない場合、前記表示制御部は、カメラの設定内容を前記表示部に表示し、
前記操作ダイヤルへの接触が検出されている場合、前記表示制御部は、前記カメラの設定内容、及び、接触が検出された前記操作ダイヤルのイメージ画像を前記表示部に表示し、
前記操作ダイヤルへの接触が検出された場合、前記表示制御部は、各前記操作ダイヤルのイメージ画像の一部を前記表示部の縁部から表示し、
前記操作ダイヤルが操作された場合、前記表示制御部は、操作された前記操作ダイヤルのイメージ画像を前記縁部から前記表示部に進出させて表示する、
カメラ。
【請求項１７】
前記操作ダイヤルが操作された場合、前記表示制御部は、前記操作ダイヤルの操作に連動して前記操作ダイヤルのイメージ画像を回転させる、
請求項１１から１６のいずれか１項に記載のカメラ。
【請求項１８】
表示部と、
前記表示部の周囲に配置される複数の操作ダイヤルと、
各前記操作ダイヤルへの接触を検出する接触検出部と、
前記表示部の表示を制御する表示制御部と、
を備え、
前記操作ダイヤルへの接触が検出されていない場合、前記表示制御部は、カメラの設定内容を前記表示部に表示し、
前記操作ダイヤルへの接触が検出されている場合、前記表示制御部は、前記カメラの設定内容、及び、接触が検出された前記操作ダイヤルのイメージ画像を前記表示部に表示し、
一定時間内に複数の前記操作ダイヤルが操作された場合、前記表示制御部は、操作された複数の前記操作ダイヤルのイメージ画像を前記表示部に表示する、
カメラ。
【請求項１９】
前記表示制御部は、操作した順に重ねて前記操作ダイヤルのイメージ画像を前記表示部に表示し、最後に操作した前記操作ダイヤルのイメージ画像を最上位に表示する、
請求項１８に記載のカメラ。
【請求項２０】
表示部と、
前記表示部の周囲に配置される複数の操作ダイヤルと、
各前記操作ダイヤルへの接触を検出する接触検出部と、
前記表示部の表示を制御する表示制御部と、
を備え、
前記操作ダイヤルへの接触が検出されていない場合、前記表示制御部は、カメラの設定内容を前記表示部に表示し、
前記操作ダイヤルへの接触が検出されている場合、前記表示制御部は、前記カメラの設定内容、及び、接触が検出された前記操作ダイヤルのイメージ画像を前記表示部に表示し、
前記操作ダイヤルの少なくとも一つに、外周の一部がカメラボディの外表面に露出して配置された第１の操作ダイヤルを含み、
前記表示制御部は、前記第１の操作ダイヤルのイメージ画像を前記表示部に表示する場合、前記カメラボディから露出した前記第１の操作ダイヤルの一部を延長した円弧状の外形形状を有する画像を前記第１の操作ダイヤルのイメージ画像として前記表示部に表示する、
カメラ。
【請求項２１】
全ての前記操作ダイヤルのイメージ画像の表示を指示する表示指示部を更に備え、
前記表示制御部は、前記表示指示部からの指示に応じて、全ての前記操作ダイヤルのイメージ画像を前記表示部に表示する、
請求項１１から２０のいずれか１項に記載のカメラ。
【請求項２２】
表示部の周囲に複数の操作ダイヤルを備えたカメラの設定表示方法であって、
前記操作ダイヤルが操作されていない場合は、前記カメラの設定内容を前記表示部に表示し、
前記操作ダイヤルが操作されている場合は、前記カメラの設定内容、及び、操作された前記操作ダイヤルのイメージ画像を前記表示部に表示する、
カメラの設定表示方法。
【請求項２３】
表示部の周囲に備えられた複数の操作ダイヤルが操作されていない場合に、カメラの設定内容を前記表示部に表示する機能と、
前記操作ダイヤルが操作されている場合に、前記カメラの設定内容、及び、操作された前記操作ダイヤルのイメージ画像を前記表示部に表示する機能と、
をコンピュータに実現させるカメラの設定表示プログラム。
【発明の詳細な説明】
【技術分野】
【０００１】
本発明は、複数の操作ダイヤルを備えたカメラ、カメラの設定表示方法、及び、カメラの設定表示プログラムに関する。
【背景技術】
【０００２】
回転式の操作ダイヤルと表示装置とを組み合わせて、各種設定を行うカメラが知られている。たとえば、特許文献１には、表示装置の下方に操作ダイヤルを配置し、操作ダイヤルの回転操作に応じて、表示装置の表示を切り替えることにより、各種設定を行うカメラが提案されている。
【先行技術文献】
【特許文献】
【０００３】
【特許文献１】特開平8-76225号公報
【発明の概要】
【発明が解決しようとする課題】
【０００４】
しかしながら、特許文献１の技術は、操作ダイヤルと表示装置とを一対一で組み合わせて使用しているため、複数の操作ダイヤルを備えたカメラでは、操作ダイヤルごとに表示装置を備える必要があり、カメラが大型化するという問題がある。【０００５】
また、１つの表示装置を複数の操作ダイヤルで共用することも考えられるが、この場合、表示装置に表示される情報と操作ダイヤルの関係が不明確になり、操作性が低下するという問題がある。【０００６】
本発明は、このような事情に鑑みてなされたもので、操作性のよいカメラ、カメラの設定表示方法、及び、カメラの設定表示プログラムを提供することを目的とする。
【課題を解決するための手段】
【０００７】
上記課題を解決するための手段は、次のとおりである。【０００８】
（１）表示部と、表示部の周囲に配置される複数の操作ダイヤルと、表示部の表示を制御する表示制御部と、を備え、操作ダイヤルが操作されていない場合、表示制御部は、カメラの設定内容を表示部に表示し、操作ダイヤルが操作されている場合、表示制御部は、カメラの設定内容、及び、操作された操作ダイヤルのイメージ画像を表示部に表示する、カメラ。【０００９】
本態様によれば、操作ダイヤルが操作されていない場合、表示部には、カメラの設定内容が表示される。一方、操作ダイヤルが操作されると、表示部には、カメラの設定内容、及び、操作された操作ダイヤルのイメージ画像が表示される。カメラの設定内容とは、カメラに設定されている各種情報のことである。この情報には、感度、絞り値、シャッタースピード等の主要な撮影の設定情報の他、撮影モード、露出モード、フォーカスモード、フラッシュモード等の設定情報も含まれる。また、操作ダイヤルのイメージ画像とは、操作ダイヤルを表わす画像のことである。操作ダイヤルを操作すると、操作した操作ダイヤルのイメージ画像が表示部に表示される。これにより、複数の操作ダイヤルが備えられている場合であっても、操作ダイヤルと表示部の表示との関連を明確にでき、操作性のよいカメラを提供できる。また、操作ダイヤルのイメージ画像は、操作ダイヤルを操作しない場合、非表示とされるので、表示部の画面サイズが小さい場合であっても、カメラの設定内容について、良好な視認性を確保できる。【００１０】
（２）操作ダイヤルが操作された場合、表示制御部は、操作ダイヤルの操作に連動して操作ダイヤルのイメージ画像を回転させる、上記（１）のカメラ。【００１１】
本態様によれば、操作ダイヤルを操作すると、操作に連動して操作ダイヤルのイメージ画像が回転する。これにより、操作中であることを画面上の表示から明確に把握でき、より操作性のよいカメラを提供できる。【００１２】
（３）操作ダイヤルが操作されていない場合、表示制御部は、カメラの設定内容に加えて、各操作ダイヤルの縮小画像を表示部に表示し、操作ダイヤルが操作された場合、表示制御部は、操作された操作ダイヤルの縮小画像を拡大し、操作された操作ダイヤルのイメージ画像を表示部に表示する、上記（１）又は（２）のカメラ。【００１３】
本態様によれば、操作ダイヤルが操作されていない場合、カメラの設定内容に加えて、各操作ダイヤルの縮小画像が表示部に表示される。操作ダイヤルを操作した場合は、その縮小画像が拡大され、操作した操作ダイヤルのイメージ画像が表示部に表示される。このように非操作時に操作ダイヤルの縮小画像を表示部に表示しておくことにより、イメージ画像が表示される位置及び形状を容易に把握できる。これにより、より高い操作性を実現できる。すなわち、イメージ画像が表示される位置及び形状を把握できることにより、操作する際にどの位置を見ながら操作すればよいのかが明瞭になり、良好な操作性を実現できる。また、非操作時は、縮小画像が表示されるので、カメラの設定内容の表示を邪魔することがない。これにより、良好な視認性を確保できる。【００１４】
（４）操作ダイヤルをロックする操作ダイヤルロック部を更に備え、表示制御部は、ロックが解除されている操作ダイヤルの縮小画像を表示部に表示する、上記（３）のカメラ。【００１５】
本態様によれば、操作ダイヤルのロックが解除されている場合にだけ、操作ダイヤルの縮小画像が表示部に表示される。換言すると、操作ダイヤルがロックされている場合、その操作ダイヤルに対応する表示は何も行われない。これにより、操作可能な操作ダイヤルを表示部の画面上で確認でき、より操作性を向上できる。なお、ロックは、メカニカルにロックする構成であってもよいし、また、電子的にロックする構成であってもよい。【００１６】
（５）操作ダイヤルが操作されていない場合、表示制御部は、カメラの設定内容に加えて、各操作ダイヤルのイメージ画像の一部を表示部の縁部から表示し、操作ダイヤルが操作された場合、表示制御部は、操作された操作ダイヤルのイメージ画像を縁部から表示部に進出させて表示する、上記（１）又は（２）のカメラ。【００１７】
本態様によれば、操作ダイヤルが操作されていない場合、カメラの設定内容に加えて、各操作ダイヤルのイメージ画像の一部が表示部の縁部から表示される。「一部が表示部の縁部から表示される」とは、一部のみが縁部から食みだして表示される表示態様のことである。この場合、操作ダイヤルの残りの部分が、表示部の表示領域外に隠れたような表示となる。操作ダイヤルを操作した場合は、その隠れた部分が現れる。すなわち、縁部から表示部に進出して表示される。この場合、必ずしもイメージ画像の全体を表示させる必要はない。操作ダイヤルのイメージ画像を認識可能な態様で表示させればよい。したがって、一部が隠れた状態であってもよい。このように非操作時に操作ダイヤルのイメージ画像の一部を表示部の縁部から表示しておくことにより、イメージ画像が表示される位置及び形状を容易に把握できる。これにより、より高い操作性を実現できる。また、非操作時は、イメージ画像が縁部に退避するので、カメラの設定内容の表示を邪魔することがない。これにより、良好な視認性を確保できる。【００１８】
（６）操作ダイヤルをロックする操作ダイヤルロック部を更に備え、表示制御部は、ロックが解除されている操作ダイヤルのイメージ画像の一部を表示部の縁部から表示する、上記（５）のカメラ。【００１９】
本態様によれば、操作ダイヤルのロックが解除されている場合にだけ、操作ダイヤルのイメージ画像の一部が表示部の縁部から表示される。換言すると、操作ダイヤルがロックされている場合、その操作ダイヤルに対応する表示は何も行われない。これにより、操作可能な操作ダイヤルを表示部の画面上で確認でき、より操作性を向上できる。なお、ロックは、メカニカルにロックする構成であってもよいし、また、電子的にロックする構成であってもよい。【００２０】
（７）一定時間内に複数の操作ダイヤルが操作された場合、表示制御部は、操作された複数の操作ダイヤルのイメージ画像を表示部に表示する、上記（１）から（６）のいずれか一のカメラ。【００２１】
本態様によれば、一定時間内に複数の操作ダイヤルが操作された場合、操作された複数の操作ダイヤルのイメージ画像が表示部に表示される。これにより、複数の操作ダイヤルの設定を同時に確認できる。【００２２】
（８）表示制御部は、操作した順に重ねて操作ダイヤルのイメージ画像を表示部に表示し、最後に操作した操作ダイヤルのイメージ画像を最上位に表示する、上記（７）のカメラ。【００２３】
本態様によれば、操作した順に重ねて操作ダイヤルのイメージ画像が表示される。この場合、最後に操作した操作ダイヤルが最上位に表示される。これにより、より操作しやすい表示にできる。すなわち、最も必要と想定される情報を優先的に表示できるので、より操作性のよいカメラを提供できる。【００２４】
（９）全ての操作ダイヤルのイメージ画像の表示を指示する表示指示部を更に備え、表示制御部は、表示指示部からの指示に応じて、全ての操作ダイヤルのイメージ画像を表示部に表示する、上記（１）から（８）のいずれか一のカメラ。【００２５】
本態様によれば、必要に応じて、全ての操作ダイヤルのイメージ画像を表示部に表示できる。これにより、より操作性の高いカメラを提供できる。【００２６】
（１０）操作ダイヤルの少なくとも一つに、外周の一部がカメラボディの外表面に露出して配置された第１の操作ダイヤルを含み、表示制御部は、第１の操作ダイヤルのイメージ画像を表示部に表示する場合、カメラボディから露出した第１の操作ダイヤルの一部を延長した円弧状の外形形状を有する画像を第１の操作ダイヤルのイメージ画像として表示部に表示する、上記（１）から（９）のいずれか一のカメラ。【００２７】
本態様によれば、操作ダイヤルの少なくとも一つに、外周の一部がカメラボディの外表面に露出して配置された操作ダイヤル（第１の操作ダイヤル）が含まれる。第１の操作ダイヤルのイメージ画像を表示部に表示する場合は、カメラボディから露出した部分の外周を延長した円弧状の外形形状を有する画像が、そのイメージ画像として表示される。これにより、実際の操作ダイヤルと、表示部に表示されるイメージ画像との関連性をより明確にでき、より操作性を向上できる。【００２８】
（１１）表示部と、表示部の周囲に配置される複数の操作ダイヤルと、各操作ダイヤルへの接触を検出する接触検出部と、表示部の表示を制御する表示制御部と、を備え、操作ダイヤルへの接触が検出されていない場合、表示制御部は、カメラの設定内容を表示部に表示し、操作ダイヤルへの接触が検出されている場合、表示制御部は、カメラの設定内容、及び、接触が検出された操作ダイヤルのイメージ画像を表示部に表示する、カメラ。【００２９】
本態様によれば、操作ダイヤルに指が触れられていない場合、表示部には、カメラの設定内容が表示される。一方、操作ダイヤルに指が触れると、表示部には、カメラの設定内容、及び、指が触れた操作ダイヤルのイメージ画像が表示される。これにより、複数の操作ダイヤルが備えられている場合であっても、操作ダイヤルと表示部の表示との関連を明確にでき、操作性のよいカメラを提供できる。また、操作ダイヤルのイメージ画像は、操作ダイヤルに指が触れられていない場合、非表示とされるので、表示部の画面サイズが小さい場合であっても、カメラの設定内容について良好な視認性を確保できる。【００３０】
（１２）操作ダイヤルが操作された場合、表示制御部は、操作ダイヤルの操作に連動して操作ダイヤルのイメージ画像を回転させる、上記（１１）のカメラ。【００３１】
本態様によれば、操作ダイヤルが操作されると、操作された操作ダイヤルのイメージ画像が回転する。これにより、操作中であることを画面上の表示から明確に把握でき、より操作性のよいカメラを提供できる。【００３２】
（１３）操作ダイヤルへの接触が検出されていない場合、表示制御部は、カメラの設定内容に加えて、各操作ダイヤルの縮小画像を表示部に表示し、操作ダイヤルへの接触が検出された場合、表示制御部は、接触が検出された操作ダイヤルの縮小画像を拡大し、接触が検出された操作ダイヤルのイメージ画像を表示部に表示する、上記（１１）又は（１２）のカメラ。【００３３】
本態様によれば、操作ダイヤルに指が触れられていない場合、カメラの設定内容に加えて、各操作ダイヤルの縮小画像が表示部に表示される。操作ダイヤルに指が触れられると、その縮小画像が拡大され、接触が検出された操作ダイヤルのイメージ画像が表示部に表示される。このように非接触時に操作ダイヤルの縮小画像を表示部に表示しておくことにより、イメージ画像が表示される位置及び形状を容易に把握できる。これにより、より高い操作性を実現できる。また、非接触時は、縮小画像が表示されるので、カメラの設定内容の表示を邪魔することがない。これにより、良好な視認性を確保できる。【００３４】
（１４）操作ダイヤルをロックする操作ダイヤルロック部を更に備え、表示制御部は、ロックが解除されている操作ダイヤルの縮小画像を表示部に表示する、上記（１３）のカメラ。【００３５】
本態様によれば、操作ダイヤルのロックが解除されている場合にだけ、操作ダイヤルの縮小画像が表示部に表示される。換言すると、操作ダイヤルがロックされている場合、その操作ダイヤルに対応する表示は何も行われない。これにより、操作可能な操作ダイヤルを表示部の画面上で確認でき、より操作性を向上できる。なお、ロックは、メカニカルにロックする構成であってもよいし、また、電子的にロックする構成であってもよい。【００３６】
（１５）操作ダイヤルへの接触が検出されていない場合、表示制御部は、カメラの設定内容に加えて、各操作ダイヤルのイメージ画像の一部を表示部の縁部から表示し、操作ダイヤルへの接触が検出された場合、表示制御部は、接触が検出された操作ダイヤルのイメージ画像を縁部から表示部に進出させて表示する、上記（１１）又は（１２）のカメラ。【００３７】
本態様によれば、操作ダイヤルに指が触れられていない場合、カメラの設定内容に加えて、各操作ダイヤルのイメージ画像の一部が表示部の縁部から表示される。操作ダイヤルに指が触れられた場合は、イメージ画像の隠れた部分が、表示部に表示される。このように非接触時に操作ダイヤルのイメージ画像の一部を表示部の縁部から表示しておくことにより、イメージ画像が表示される位置及び形状を容易に把握できる。これにより、より高い操作性を実現できる。また、非接触時は、イメージ画像が縁部に退避するので、カメラの設定内容の表示を邪魔することがない。これにより、良好な視認性を確保できる。【００３８】
（１６）操作ダイヤルをロックする操作ダイヤルロック部を更に備え、表示制御部は、ロックが解除されている操作ダイヤルのイメージ画像の一部を表示部の縁部から表示する、上記（１５）のカメラ。【００３９】
本態様によれば、操作ダイヤルのロックが解除されている場合にだけ、操作ダイヤルの縮小画像が表示部に表示される。換言すると、操作ダイヤルがロックされている場合、その操作ダイヤルに対応する表示は何も行われない。これにより、操作可能な操作ダイヤルを表示部の画面上で確認でき、より操作性を向上できる。なお、ロックは、メカニカルにロックする構成であってもよいし、また、電子的にロックする構成であってもよい。【００４０】
（１７）操作ダイヤルへの接触が検出された場合、表示制御部は、各操作ダイヤルの縮小画像を表示部に表示し、操作ダイヤルが操作された場合、表示制御部は、操作された操作ダイヤルの縮小画像を拡大し、操作された操作ダイヤルのイメージ画像を表示部に表示する、上記（１１）のカメラ。【００４１】
本態様によれば、操作ダイヤルに指が触れられていない場合、カメラの設定内容が表示部に表示される。一方、操作ダイヤルに指が触れられると、カメラの設定内容に加えて、各操作ダイヤルの縮小画像が表示部に表示される。指が触れた後、更に、操作ダイヤルが操作されると、その縮小画像が拡大され、操作された操作ダイヤルのイメージ画像が表示部に表示される。このように非接触時は、操作ダイヤルのイメージ画像を非表示にしておくことにより、表示部の画面サイズが小さい場合であっても、カメラの設定内容について良好な視認性を確保できる。また、指が触れた場合に、操作ダイヤルの縮小画像を表示部に表示することにより、イメージ画像が表示される位置及び形状を容易に把握できる。これにより、より高い操作性を実現できる。【００４２】
（１８）操作ダイヤルが操作された場合、表示制御部は、操作ダイヤルの操作に連動して操作ダイヤルのイメージ画像を回転させる、上記（１７）のカメラ。【００４３】
本態様によれば、操作ダイヤルが操作されると、操作された操作ダイヤルのイメージ画像が回転する。これにより、操作中であることを画面上の表示から明確に把握でき、より操作性のよいカメラを提供できる。なお、本態様の場合、操作ダイヤルの縮小画像は、回転しながら拡大する。【００４４】
（１９）操作ダイヤルへの接触が検出された場合、表示制御部は、各操作ダイヤルのイメージ画像の一部を表示部の縁部から表示し、操作ダイヤルが操作された場合、表示制御部は、操作された操作ダイヤルのイメージ画像を縁部から表示部に進出させて表示する、上記（１１）のカメラ。【００４５】
本態様によれば、操作ダイヤルに指が触れられていない場合、カメラの設定内容が表示部に表示される。一方、操作ダイヤルに指が触れられると、カメラの設定内容に加えて、各操作ダイヤルのイメージ画像の一部が表示部の縁部から表示される。指が触れた後、更に、操作ダイヤルが操作されると、イメージ画像の隠れた部分が表示部に表示される。このように非接触時は、操作ダイヤルのイメージ画像を非表示にしておくことにより、表示部の画面サイズが小さい場合であっても、カメラの設定内容について良好な視認性を確保できる。また、指が触れた場合に、操作ダイヤルのイメージ画像の一部を表示部の縁部から表示することにより、イメージ画像が表示される位置及び形状を容易に把握できる。これにより、より高い操作性を実現できる。【００４６】
（２０）操作ダイヤルが操作された場合、表示制御部は、操作ダイヤルの操作に連動して操作ダイヤルのイメージ画像を回転させる、上記（１９）のカメラ。【００４７】
本態様によれば、操作ダイヤルが操作されると、操作された操作ダイヤルのイメージ画像が回転する。これにより、操作中であることを画面上の表示から明確に把握でき、より操作性のよいカメラを提供できる。なお、本態様の場合、操作ダイヤルのイメージ画像は、回転しながら縁部から現れる。【００４８】
（２１）一定時間内に複数の操作ダイヤルが操作された場合、表示制御部は、操作された複数の操作ダイヤルのイメージ画像を表示部に表示する、上記（１１）から（２０）のいずれか一のカメラ。【００４９】
本態様によれば、一定時間内に複数の操作ダイヤルが操作された場合、操作された複数の操作ダイヤルのイメージ画像が表示部に表示される。これにより、複数の操作ダイヤルの設定を同時に確認できる。【００５０】
（２２）表示制御部は、操作した順に重ねて操作ダイヤルのイメージ画像を表示部に表示し、最後に操作した操作ダイヤルのイメージ画像を最上位に表示する、上記（２１）のカメラ。【００５１】
本態様によれば、操作した順に重ねて操作ダイヤルのイメージ画像が表示される。この場合、最後に操作した操作ダイヤルが最上位に表示される。これにより、より操作しやすい表示にできる。すなわち、最も必要と想定される情報を優先的に表示できるので、より操作性のよいカメラを提供できる。【００５２】
（２３）全ての操作ダイヤルのイメージ画像の表示を指示する表示指示部を更に備え、表示制御部は、表示指示部からの指示に応じて、全ての操作ダイヤルのイメージ画像を表示部に表示する、上記（１１）から（２２）のいずれか一のカメラ。【００５３】
本態様によれば、必要に応じて、全ての操作ダイヤルのイメージ画像を表示部に表示できる。これにより、より操作性の高いカメラを提供できる。【００５４】
（２４）操作ダイヤルの少なくとも一つに、外周の一部がカメラボディの外表面に露出して配置された第１の操作ダイヤルを含み、表示制御部は、第１の操作ダイヤルのイメージ画像を表示部に表示する場合、カメラボディから露出した第１の操作ダイヤルの一部を延長した円弧状の外形形状を有する画像を第１の操作ダイヤルのイメージ画像として表示部に表示する、上記（１１）から（２３）のいずれか一のカメラ。【００５５】
本態様によれば、操作ダイヤルの少なくとも一つに、外周の一部がカメラボディの外表面に露出して配置された操作ダイヤル（第１の操作ダイヤル）が含まれる。第１の操作ダイヤルのイメージ画像を表示部に表示する場合は、カメラボディから露出した部分の外周を延長した円弧状の外形形状を有する画像が、そのイメージ画像として表示される。これにより、実際の操作ダイヤルと、表示部に表示されるイメージ画像との関連性をより明確にでき、より操作性を向上できる。【００５６】
（２５）表示部の周囲に複数の操作ダイヤルを備えたカメラの設定表示方法であって、操作ダイヤルが操作されていない場合は、カメラの設定内容を表示部に表示し、操作ダイヤルが操作されている場合は、カメラの設定内容、及び、操作された操作ダイヤルのイメージ画像を表示部に表示する、カメラの設定表示方法。【００５７】
本態様によれば、操作ダイヤルが操作されていない場合、表示部には、カメラの設定内容が表示される。一方、操作ダイヤルが操作されると、表示部には、カメラの設定内容、及び、操作された操作ダイヤルのイメージ画像が表示される。これにより、複数の操作ダイヤルが備えられている場合であっても、操作ダイヤルと表示部の表示との関連を明確にでき、操作性のよいカメラを提供できる。また、操作ダイヤルのイメージ画像は、操作ダイヤルを操作しない場合、非表示とされるので、表示部の画面サイズが小さい場合であっても、カメラの設定内容について、良好な視認性を確保できる。【００５８】
（２６）表示部の周囲に複数の操作ダイヤルを備えたカメラの設定表示方法であって、操作ダイヤルへの接触を検出し、操作ダイヤルへの接触が検出されていない場合は、カメラの設定内容を表示部に表示し、操作ダイヤルへの接触が検出されている場合は、カメラの設定内容、及び、接触が検出された操作ダイヤルのイメージ画像を表示部に表示する、カメラの設定表示方法。【００５９】
本態様によれば、操作ダイヤルに指が触れられていない場合、表示部には、カメラの設定内容が表示される。一方、操作ダイヤルに指が触れると、表示部には、カメラの設定内容、及び、指が触れた操作ダイヤルのイメージ画像が表示される。これにより、複数の操作ダイヤルが備えられている場合であっても、操作ダイヤルと表示部の表示との関連を明確にでき、操作性のよいカメラを提供できる。また、操作ダイヤルのイメージ画像は、操作ダイヤルに指が触れられていない場合、非表示とされるので、表示部の画面サイズが小さい場合であっても、カメラの設定内容について良好な視認性を確保できる。【００６０】
（２７）表示部の周囲に備えられた複数の操作ダイヤルが操作されていない場合に、カメラの設定内容を表示部に表示する機能と、操作ダイヤルが操作されている場合に、カメラの設定内容、及び、操作された操作ダイヤルのイメージ画像を表示部に表示する機能と、をコンピュータに実現させるカメラの設定表示プログラム。【００６１】
本態様によれば、操作ダイヤルが操作されていない場合、表示部には、カメラの設定内容が表示される。一方、操作ダイヤルが操作されると、表示部には、カメラの設定内容、及び、操作された操作ダイヤルのイメージ画像が表示される。これにより、複数の操作ダイヤルが備えられている場合であっても、操作ダイヤルと表示部の表示との関連を明確にでき、操作性のよいカメラを提供できる。また、操作ダイヤルのイメージ画像は、操作ダイヤルを操作しない場合、非表示とされるので、表示部の画面サイズが小さい場合であっても、カメラの設定内容について、良好な視認性を確保できる。【００６２】
（２８）表示部の周囲に備えられた複数の操作ダイヤルへの指の接触の有無を判定する機能と、操作ダイヤルに指が接触していない場合に、カメラの設定内容を表示部に表示する機能と、操作ダイヤルに指が接触している場合に、カメラの設定内容、及び、指が接触している操作ダイヤルのイメージ画像を表示部に表示する機能と、をコンピュータに実現させるカメラの設定表示プログラム。【００６３】
本態様によれば、操作ダイヤルに指が触れられていない場合、表示部には、カメラの設定内容が表示される。一方、操作ダイヤルに指が触れると、表示部には、カメラの設定内容、及び、指が触れた操作ダイヤルのイメージ画像が表示される。これにより、複数の操作ダイヤルが備えられている場合であっても、操作ダイヤルと表示部の表示との関連を明確にでき、操作性のよいカメラを提供できる。また、操作ダイヤルのイメージ画像は、操作ダイヤルに指が触れられていない場合、非表示とされるので、表示部の画面サイズが小さい場合であっても、カメラの設定内容について良好な視認性を確保できる。
【発明の効果】
【００６４】
本発明によれば、操作性のよいカメラを提供できる。
【図面の簡単な説明】
【００６５】
【図１】本発明が適用されたデジタルカメラの一例を示す正面図
【図２】本発明が適用されたデジタルカメラの一例を示す背面図
【図３】本発明が適用されたデジタルカメラの一例を示す平面図
【図４】レンズを装着したデジタルカメラの平面図
【図５】第１操作ダイヤル及び第２操作ダイヤルが配置されている部分を拡大した平面図
【図６】デジタルカメラの制御系の概略構成を示すブロック図
【図７】非操作時におけるサブディスプレーの表示の一例を示す平面図
【図８】非操作時における第１操作ダイヤル及び第２操作ダイヤルのイメージ画像の表示の概念図
【図９】第１操作ダイヤルを回転操作した場合のサブディスプレーの表示の一例を示す平面図
【図１０】第２操作ダイヤルを回転操作した場合のサブディスプレーの表示の一例を示す平面図
【図１１】露出補正値を設定する機能が割り当てられた場合の操作ダイヤルのイメージ画像の一例を示す図
【図１２】シャッタースピードを設定する機能が割り当てられた場合の操作ダイヤルのイメージ画像の一例を示す図
【図１３】感度を設定する機能が割り当てられた場合の操作ダイヤルのイメージ画像の一例を示す図
【図１４】絞り値を設定する機能が割り当てられた場合の操作ダイヤルのイメージ画像の一例を示す図
【図１５】サブディスプレーの表示に関わる制御系のブロック図
【図１６】サブディスプレーに対する表示の処理手順を示すフローチャート
【図１７】一度に複数の操作ダイヤルのイメージ画像をサブディスプレーに表示する場合の一例を示す平面図
【図１８】一度に複数の操作ダイヤルのイメージ画像を表示させる場合の手順を示すフローチャート
【図１９】一定時間内に複数の操作ダイヤルが操作された場合のサブディスプレーの表示の一例を示す平面図
【図２０】一定時間内に複数の操作ダイヤルが操作された場合のサブディスプレーの表示の一例を示す平面図
【図２１】表示指示部としての確認ボタンを備えたデジタルカメラの外観構成を示す平面図
【図２２】操作ダイヤルのイメージ画像の他の一例が表示されたサブディスプレーの平面図
【図２３】操作ダイヤルのイメージ画像の他の一例が表示されたサブディスプレーの平面図
【図２４】全ての操作ダイヤルのイメージ画像をサブディスプレーに表示する場合の一例を示す図
【図２５】操作ダイヤルのイメージ画像の他の一例が表示されたサブディスプレーの平面図
【図２６】操作ダイヤルのイメージ画像をサブディスプレーの縁部から表示領域に進退させる態様の他の一例を示す図
【図２７】操作時におけるカメラの設定内容の表示形態の変形例を示す図
【図２８】第２の実施の形態のデジタルカメラの正面図
【図２９】第２の実施の形態のデジタルカメラの平面図
【図３０】非操作時におけるサブディスプレーの表示の一例を示す平面図
【図３１】第３操作ダイヤルを回転操作した場合のサブディスプレーの表示の一例を示す平面図
【図３２】一度に複数の操作ダイヤルのイメージ画像をサブディスプレーに表示する場合の一例を示す平面図
【図３３】一度に複数の操作ダイヤルのイメージ画像をサブディスプレーに表示する場合の他の一例を示す平面図
【図３４】一定時間内に複数の操作ダイヤルが操作された場合のサブディスプレーの表示の他の一例を示す平面図
【図３５】デジタルカメラの非操作時におけるサブディスプレーの表示の一例を示す平面図
【図３６】第１操作ダイヤルを回転操作した場合のサブディスプレーの表示の一例を示す平面図
【図３７】第２操作ダイヤルを回転操作した場合のサブディスプレーの表示の一例を示す平面図
【図３８】サブディスプレーの表示に関わる制御系のブロック図
【図３９】非操作時におけるサブディスプレーの表示の一例を示す平面図
【図４０】第１操作ダイヤルに指が触れられた場合のサブディスプレーの表示の一例を示す平面図
【図４１】第２操作ダイヤルに指が触れられた場合のサブディスプレーの表示の一例を示す平面図
【図４２】サブディスプレーに対する表示の処理手順を示すフローチャート
【図４３】第１操作ダイヤルに指が触れられた場合のサブディスプレーの表示の一例を示す平面図
【図４４】第２操作ダイヤルに指が触れられた場合のサブディスプレーの表示の一例を示す平面図
【図４５】第１操作ダイヤルが回転操作された場合のサブディスプレーの表示の一例を示す平面図
【図４６】第２操作ダイヤルが回転操作された場合のサブディスプレーの表示の一例を示す平面図
【図４７】接触が検出された場合に縮小画像を表示する場合のサブディスプレーの表示の一例を示す平面図
【図４８】デジタルカメラの外観構成を示す背面図
【図４９】デジタルカメラの外観構成を示す平面図
【図５０】サブディスプレーの表示に関わる制御系のブロック図
【図５１】第１操作ダイヤル及び第２操作ダイヤルの双方がロックされた場合のサブディスプレーの表示の一例を示す平面図
【図５２】第１操作ダイヤル及び第２操作ダイヤルのロックが解除された場合のサブディスプレーの表示の一例を示す平面図
【図５３】ロックを解除して第１操作ダイヤルを操作した場合のサブディスプレーの表示の一例を示す平面図
【図５４】ロックを解除して第２操作ダイヤルを操作した場合のサブディスプレーの表示の一例を示す平面図
【図５５】サブディスプレーの表示に関わる制御系のブロック図
【発明を実施するための形態】
【００６６】
以下、添付図面に従って本発明を実施するための好ましい形態について詳説する。
【００６７】
≪第１の実施の形態≫
［外観構成］
図１、図２及び図３は、それぞれ本発明が適用されたデジタルカメラの一例を示す正面図、背面図及び平面図である。
【００６８】
本明細書では、光軸Ｌに沿う方向（図３のｚ方向）を前後方向とし、被写体側を前方向とする。また、光軸Ｌと直交する面において、イメージセンサー５０の長辺に沿う方向（図１のｘ方向）を横方向又は左右方向とし、イメージセンサー５０の短辺に沿う方向（図１のｙ方向）を縦方向又は上下方向とする。
【００６９】
本実施の形態のデジタルカメラ１は、レンズ交換式のデジタルカメラであり、かつ、ノンレフレックス型のデジタルカメラである。レンズ交換式とは、レンズを交換できるデジタルカメラのことである。ノンレフレックス型とは、レンズからの入射光を光学式ファインダーに導くためのレフレックスミラーのないデジタルカメラのことであり、ミラーレスとも称される。
【００７０】
図４は、レンズを装着したデジタルカメラの平面図である。同図に示すように、本実施の形態のデジタルカメラ１は、カメラボディ１０にレンズ２を装着して使用する。
【００７１】
図１から図４に示すように、カメラボディ１０には、レンズマウント１２、メインディスプレー１４、サブディスプレー１６、電子ビューファインダー１８、ホットシュー２０等が備えられる。また、操作部材として、シャッターボタン３０、電源レバー３１、再生ボタン３４、消去ボタン３５、ＡＦロックボタン３６、ＡＥロックボタン３７、メニュー／ＯＫボタン３８、セレクターボタン３９、表示／ＢＡＣＫボタン４０、第１操作ダイヤルＤ１及び第２操作ダイヤルＤ２等が備えられる。
【００７２】
《カメラボディ》
カメラボディ１０は、前後方向の厚みの薄い矩形の箱形状を有する。カメラボディ１０は、一方側（図１において左側）の端部がグリップ部として構成される。ユーザーは、グリップ部を把持してレリーズ操作する。グリップ部には、正面側にグリップ２２、背面側にサムレスト２４が備えられる。
【００７３】
《レンズマウント》
レンズマウント１２は、レンズ２の取り付け部である。図１に示すように、レンズマウント１２は、カメラボディ１０の正面に備えられる。レンズ２は、レンズマウント１２に着脱自在に装着される。レンズマウント１２は、バヨネット式で構成される。
【００７４】
《メインディスプレー》
メインディスプレー１４は、主として画像の表示に使用されるディスプレーである。図２に示すように、メインディスプレー１４は、カメラボディ１０の背面に備えられる。メインディスプレー１４は、たとえば、カラーＬＣＤ（ＬＣＤ：Liquid Crystal Display／液晶ディスプレー）で構成される。
【００７５】
上記のように、メインディスプレー１４は、主として画像の表示に使用される。表示する画像には、撮影済み画像の他、ライブビュー画像が含まれる。ライブビューとは、イメージセンサーで捉えた画像をリアルタイムに表示する機能のことである。ライブビューすることにより、メインディスプレー上で画角、フォーカス状態等の確認が可能になる。
【００７６】
また、メインディスプレー１４は、ＧＵＩ（ＧＵＩ：Graphical User Interface／グラフィカルユーザーインタフェース）としても利用される。すなわち、各種設定を行う際、メインディスプレー１４に設定画面が表示され、その設定画面で各種設定が行われる。
【００７７】
《サブディスプレー》
サブディスプレー１６は、表示部の一例である。サブディスプレー１６は、メインディスプレー１４に比して小画面の表示装置で構成される。図３に示すように、サブディスプレー１６は、カメラボディ１０の天面に備えられる。特に、本実施の形態のデジタルカメラ１では、サブディスプレー１６が、カメラボディ１０のグリップ部側の天面に備えられる。サブディスプレー１６は、たとえば、照明を備えた反射型のＬＣＤで構成される。サブディスプレー１６は、矩形の表示面を有し、その短辺が光軸Ｌと平行に配置される。より具体的には、短辺が前後方向（ｚ方向）に沿って配置され、かつ、長辺が横方向（ｘ方向）に沿って配置される。
【００７８】
サブディスプレー１６には、デジタルカメラ１の設定内容が表示される。また、サブディスプレー１６には、第１操作ダイヤルＤ１及び第２操作ダイヤルＤ２の操作に連動して、第１操作ダイヤルＤ１及び第２操作ダイヤルＤ２のイメージ画像が表示される。この点については後述する。
【００７９】
《電子ビューファインダー》
電子ビューファインダー（ＥＶＦ：Electronic View Finder）１８は、ＬＣＤを内蔵した電子式のファインダーである。電子ビューファインダー１８は、図２に示すように、カメラボディ１０の上部（いわゆる軍艦部）に備えられ、背面に接眼部が備えられる。
【００８０】
《ホットシュー》
ホットシュー２０は、外付けのフラッシュの取り付け部である。図３に示すように、ホットシュー２０は、カメラボディ１０の天面に備えられる。
【００８１】
《操作部材》
カメラボディ１０には、操作部材として、シャッターボタン３０、電源レバー３１、再生ボタン３４、消去ボタン３５、ＡＦロックボタン３６、ＡＥロックボタン３７、メニュー／ＯＫボタン３８、セレクターボタン３９、表示／ＢＡＣＫボタン４０、第１操作ダイヤルＤ１及び第２操作ダイヤルＤ２等が備えられる。
【００８２】
〈シャッターボタン〉
シャッターボタン３０は、カメラボディ１０の天面（上面）に備えられ、グリップ部側に配置される。シャッターボタン３０は、いわゆる半押しと全押しとからなる二段式のスイッチで構成される。シャッターボタン３０が半押しされると、撮影準備、すなわち、ＡＥ及びＡＦが実行され、全押しされると、本撮影、すなわち、記録用の撮影が実施される。なお、ＡＥとは、Automatic Exposure（自動露光）の略であり、カメラが被写体の明るさを自動的に計測し、適正露出を決定する機能のことである。また、ＡＦとは、Automatic Focus（自動焦点）の略であり、カメラが被写体との距離を自動的に計測し、焦点を合わせる機能のことである。
【００８３】
〈電源レバー〉
電源レバー３１は、シャッターボタン３０と同軸上に配置される。電源レバー３１は、回転式のレバーで構成される。電源レバー３１をオン位置に回転させると、デジタルカメラ１の電源がオンされ、オフ位置に回転させると、デジタルカメラ１の電源がオフされる。
【００８４】
〈再生ボタン〉
再生ボタン３４は、デジタルカメラ１のモードを再生モードに切り替えるボタンである。再生ボタン３４は、カメラボディ１０の背面に備えられ、メインディスプレー１４の上方に配置される。デジタルカメラ１のモードが撮影モードに設定されている状態で再生ボタン３４を押すと、デジタルカメラ１のモードが再生モードに切り替えられる。再生モードに設定されると、最後に撮影した画像がメインディスプレー１４に表示される。
【００８５】
なお、再生モードから撮影モードに切り替える機能は、シャッターボタン３０に割り当てられている。再生モードに設定されている状態でシャッターボタン３０を押すと、デジタルカメラ１のモードが撮影モードに切り替えられる。
【００８６】
〈消去ボタン〉
消去ボタン３５は、メインディスプレー１４に表示されている撮影済み画像の消去を指示するボタンである。消去ボタン３５は、カメラボディ１０の背面に備えられ、メインディスプレー１４の上方に配置される。撮影済み画像をメインディスプレー１４に表示している状態で消去ボタン３５を押すと、消去を確認する画面がメインディスプレー１４に表示される。メインディスプレー１４の表示に従って消去の実行を指示すると、再生中の撮影済み画像がメモリーカードから消去される。
【００８７】
〈ＡＦロックボタン〉
ＡＦロックボタン３６は、フォーカスのロックを指示するボタンである。図２に示すように、ＡＦロックボタン３６は、カメラボディ１０の背面に備えられ、サムレスト２４の近傍に配置される。ＡＦロックボタン３６を押すと、フォーカスがロックされる。
【００８８】
〈ＡＥロックボタン〉
ＡＥロックボタン３７は、露出のロックを指示するボタンである。図２に示すように、ＡＥロックボタン３７は、カメラボディ１０の背面に備えられ、サムレスト２４の近傍に配置される。ＡＥロックボタン３７を押すと、露出がロックされる。
【００８９】
〈メニュー／ＯＫボタン〉
メニュー／ＯＫボタン３８は、メニュー画面をメインディスプレー１４に呼び出すボタンである。また、メニュー／ＯＫボタン３８は、メインディスプレー１４に表示される選択事項、確認事項等についてＯＫを指示するボタンである。メニュー／ＯＫボタン３８は、カメラボディ１０の背面に備えられる。撮影モード又は再生モードに設定されている状態でメニュー／ＯＫボタン３８を押すと、メインディスプレー１４にメニュー画面が表示される。
【００９０】
〈セレクターボタン〉
セレクターボタン３９は、メニュー／ＯＫボタン３８を中心にして同一円上に配置された上下左右の４つのボタンで構成される。各ボタンには、デジタルカメラ１の設定状況に応じた機能が割り当てられる。たとえば、デジタルカメラ１が再生モードに設定されている場合、図２において右方向のボタンには１コマ送りの機能が割り当てられ、左方向のボタンには１コマ戻しの機能が割り当てられる。また、上方向のボタンにはズームインの機能が割り当てられ、下方向のボタンにはズームアウトの機能が割り当てられる。また、デジタルカメラ１が撮影モードに設定されている場合、図２において右方向のボタンには、ホワイトバランスの設定画面を呼び出す機能が割り当てられ、左方向のボタンには、セルフタイマーの設定画面を呼び出す機能が割り当てられる。また、上方向のボタンには、ＡＦモードの設定画面を呼び出す機能が割り当てられ、下方向のボタンには、連写モードの設定画面を呼び出す機能が割り当てられる。さらに、メインディスプレー１４に各種設定画面を呼び出した場合には、画面上でカーソルを各方向に移動させるボタンとして機能する。
【００９１】
〈表示／ＢＡＣＫボタン〉
表示／ＢＡＣＫボタン４０は、メインディスプレー１４の表示形態の切り替えを指示するボタンである。また、表示／ＢＡＣＫボタン４０は、メインディスプレー１４の表示を１つ前の状態に戻すことを指示するボタンである。表示／ＢＡＣＫボタン４０は、カメラボディ１０の背面に備えられる。再生モード又は撮影モードに設定されている状態において、表示／ＢＡＣＫボタン４０が押されると、メインディスプレー１４の表示形態が切り替えられる。たとえば、再生モードに設定されている状態で表示／ＢＡＣＫボタン４０が押されると、メインディスプレー１４に表示されている画像の撮影条件、ヒストグラム等が画像に重ねて表示される。また、たとえば、撮影モードに設定されている状態で表示／ＢＡＣＫボタン４０が押されると、撮影条件、ヒストグラム等の各種情報がライブビュー画像に重ねて表示される。また、各種設定画面がメインディスプレー１４に表示されている状態で表示／ＢＡＣＫボタン４０が押されると、メインディスプレー１４の表示が１つ前の状態に戻される。これにより、選択事項、確認事項等をキャンセルできる。
【００９２】
〈第１操作ダイヤル及び第２操作ダイヤル〉
第１操作ダイヤルＤ１及び第２操作ダイヤルＤ２は、複数の操作ダイヤルの一例である。第１操作ダイヤルＤ１及び第２操作ダイヤルＤ２には、デジタルカメラ１の設定状態に応じて種々の機能が割り当てられる。この点については後述する。
【００９３】
第１操作ダイヤルＤ１及び第２操作ダイヤルＤ２は、表示部であるサブディスプレー１６の周囲に配置される。具体的には、図３に示すように、平面視において、サブディスプレー１６の後方に第１操作ダイヤルＤ１が配置され、右側方に第２操作ダイヤルＤ２が配置される。いずれもグリップ部を把持する手の親指で操作可能な位置に配置される。
【００９４】
（１）第１操作ダイヤル
図５は、第１操作ダイヤル及び第２操作ダイヤルが配置されている部分を拡大した平面図である。
【００９５】
第１操作ダイヤルＤ１は、第１の操作ダイヤルの一例である。第１操作ダイヤルＤ１は、カメラボディ１０に埋め込まれて設置され、外周の一部がカメラボディ１０の背面（外表面）から露出して配置される。第１操作ダイヤルＤ１の一部が露出する位置は、図５に示すように、平面視において、サブディスプレー１６の後方である。
【００９６】
第１操作ダイヤルＤ１は、サブディスプレー１６の表示面と直交する回転軸ａｘ１を有する。第１操作ダイヤルＤ１は、この回転軸ａｘ１を中心に正逆回転操作可能に設けられる。すなわち、図５に示すように、回転軸ａｘ１を中心に時計回りの回転方向１ｆ及び反時計回りの回転方向１ｂの双方に回転操作可能に設けられる。
【００９７】
第１操作ダイヤルＤ１は、クリック機構を有し、一定の角度間隔でクリックストップ可能に構成される。クリックストップとは、クリック感を伴って回転を停止させる機能のことである。この種のクリック機構は公知の技術であるので、その具体的な構成についての説明は省略する。
【００９８】
（２）第２操作ダイヤル
第２操作ダイヤルＤ２は、図５に示すように、カメラボディ１０の天面（上面）に配置される。第２操作ダイヤルＤ２は、平面視において、サブディスプレー１６の右側方に配置される。
【００９９】
第２操作ダイヤルＤ２は、サブディスプレー１６の表示面と直交する回転軸ａｘ２を有する。第２操作ダイヤルＤ２は、この回転軸ａｘ２を中心に正逆回転操作可能に設けられる。すなわち、図５に示すように、回転軸ａｘ２を中心に時計回りの回転方向２ｆ及び反時計回りの回転方向２ｂの双方に回転操作可能に設けられる。
【０１００】
第２操作ダイヤルＤ２もクリック機構を有し、一定の角度間隔でクリックストップ可能に構成される。
【０１０１】
［制御系］
図６は、デジタルカメラの制御系の概略構成を示すブロック図である。
【０１０２】
デジタルカメラ１は、イメージセンサー５０、イメージセンサー駆動部５２、シャッター５４、シャッター駆動部５６、アナログ信号処理部５８、画像データ入力部６０、ワークメモリ６２、データメモリ６４、デジタル信号処理部６６、記録制御部６８、メインディスプレー駆動部７０、サブディスプレー駆動部７２、操作部７４、システムコントローラー８０等を有する。
【０１０３】
イメージセンサー５０は、レンズ２を介して結像した被写体の光学像を電気信号に変換して出力する。イメージセンサー５０には、ＣＣＤイメージセンサー（ＣＣＤ：Charged Coupled Device）、ＣＭＯＳイメージセンサー（ＣＭＯＳ：Complementary Metal Oxide Semiconductor）等の公知のイメージセンサーが使用される。
【０１０４】
イメージセンサー駆動部５２は、システムコントローラー８０からの指令に応じて、イメージセンサー５０を駆動する。
【０１０５】
シャッター５４は、スクエア型のフォーカルプレーンシャッターで構成され、イメージセンサー５０の直前に配置される。なお、図１は、シャッターが全開された状態が示されている。
【０１０６】
シャッター駆動部５６は、システムコントローラー８０からの指令に応じて、シャッター５４を駆動する。
【０１０７】
アナログ信号処理部５８は、イメージセンサー５０から出力された信号を取り込み、相関二重サンプリング処理、増幅処理等の所要の信号処理を施す。また、アナログ信号処理部５８は、所要の信号処理を施したアナログの画像信号をデジタルの画像信号に変換して出力する。
【０１０８】
画像データ入力部６０は、システムコントローラー８０からの指令に応じて、アナログ信号処理部５８から出力されるデジタルの画像信号を取り込む。取り込まれた１枚分の画像データは、ワークメモリ６２に格納される。
【０１０９】
ワークメモリ６２は、作業用のメモリとして利用される。データメモリ６４は、ＥＥＰＲＯＭ （ＥＥＰＲＯＭ：Electrically Erasable Programmable Read Only Memory）等の不揮発性メモリで構成され、制御等に必要なデータが記憶される。
【０１１０】
デジタル信号処理部６６は、ワークメモリ６２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【０１１１】
記録制御部６８は、システムコントローラー８０からの指令に応じて、メモリーカード７８にアクセスし、データを読み書きする。撮影により得られた画像データは、メモリーカード７８に記録される。
【０１１２】
メインディスプレー駆動部７０は、システムコントローラー８０からの指令に応じて、メインディスプレー１４を駆動する。
【０１１３】
サブディスプレー駆動部７２は、システムコントローラー８０からの指令に応じて、サブディスプレー１６を駆動する。
【０１１４】
操作部７４は、シャッターボタン３０、電源レバー３１、モードダイヤル３２、再生ボタン３４、消去ボタン３５、ＡＦロックボタン３６、ＡＥロックボタン３７、メニュー／ＯＫボタン３８、セレクターボタン３９、表示／ＢＡＣＫボタン４０、第１操作ダイヤルＤ１及び第２操作ダイヤルＤ２等を含み、各操作部材の操作に応じた信号をシステムコントローラー８０に出力する。
【０１１５】
システムコントローラー８０は、デジタルカメラ１の各部の動作を制御する制御部である。システムコントローラー８０は、マイクロコンピューターで構成される。すなわち、マイクロコンピューターが所定の制御プログラムを実行することによりシステムコントローラー８０として機能し、デジタルカメラ１の各部の動作を制御する制御部として機能する。
【０１１６】
システムコントローラー８０は、レンズ２の制御部としても機能する。システムコントローラー８０は、レンズ２に備えられたレンズ駆動部２ａを介して、レンズ２の動作を制御する。レンズ２は、絞り、フォーカスレンズ等を備える。レンズ駆動部２ａは、絞りを駆動する絞り駆動部、フォーカスレンズを駆動するフォーカスレンズ駆動部等を備える。
【０１１７】
［サブディスプレーの表示］
上記のように、サブディスプレー１６には、デジタルカメラ１の設定内容と、第１操作ダイヤルＤ１及び第２操作ダイヤルＤ２のイメージ画像と、が表示される。
【０１１８】
デジタルカメラ１の設定内容とは、撮影に際して設定される各種情報のことである。たとえば、設定されている感度、絞り値、シャッタースピードの情報が設定内容に含まれる。この他、撮影モードの選択、測光方式の選択、ＡＦ方式の選択、ホワイトバランスの選択、画像サイズの選択、画質の選択、撮影可能枚数、フラッシュモードの選択、連写の有無、セルフタイマーの設定の有無等が可能なカメラの場合、これらの設定情報がカメラの設定内容に含まれる。
【０１１９】
本実施の形態では、シャッタースピード、絞り値、感度、撮影可能枚数の各情報が、カメラの設定内容としてサブディスプレー１６に表示される。
【０１２０】
一方、操作ダイヤルのイメージ画像とは、操作ダイヤルを表わす画像のことである。操作ダイヤルのイメージ画像は、文字盤を備えた一般的な回転式の操作ダイヤルの外観を模した画像で構成される。特に、本実施の形態では、天面に文字盤を備えた円盤状の操作ダイヤルを平面視した画像で各操作ダイヤルのイメージ画像が構成され、円形状の図形で構成される。操作ダイヤルのイメージ画像の具体例については後述する。
【０１２１】
《表示形態》
サブディスプレー１６の表示は、第１操作ダイヤルＤ１及び第２操作ダイヤルＤ２が操作されている場合と、第１操作ダイヤルＤ１及び第２操作ダイヤルＤ２が操作されていない場合とで、表示形態が異なる。
【０１２２】
第１操作ダイヤルＤ１及び第２操作ダイヤルＤ２が操作されていない場合、サブディスプレー１６には、主としてカメラの設定内容が表示される。第１操作ダイヤルＤ１及び第２操作ダイヤルＤ２のイメージ画像については、サブディスプレー１６の縁部分に一部のみが表示される。
【０１２３】
一方、第１操作ダイヤルＤ１及び第２操作ダイヤルＤ２の少なくとも一方が操作されると、操作された操作ダイヤルのイメージ画像が現れ、カメラの設定内容は、余白領域に退避して表示される。
【０１２４】
すなわち、各操作ダイヤルの操作に応じて、各操作ダイヤルのイメージ画像がサブディスプレー１６の縁部から表示領域に進退して表示される。
【０１２５】
以下、図を参照しながら、具体的な表示形態について説明する。
【０１２６】
〈非操作時〉
図７は、非操作時におけるサブディスプレーの表示の一例を示す平面図である。
【０１２７】
図７に示すように、第１操作ダイヤルＤ１及び第２操作ダイヤルＤ２が操作されていない場合、サブディスプレー１６には、カメラの設定内容Ｉｃが大きく表示される。
【０１２８】
上記のように、カメラの設定内容Ｉｃには、シャッタースピードの情報Ｉｃ１、絞り値の情報Ｉｃ２、感度の情報Ｉｃ３、撮影可能枚数の情報Ｉｃ４が含まれる。各情報は、あらかじめ定められたサイズ、レイアウトでサブディスプレー１６の表示領域に表示される。
【０１２９】
また、図７に示すように、第１操作ダイヤルＤ１及び第２操作ダイヤルＤ２が操作されていない場合、サブディスプレー１６には、第１操作ダイヤルＤ１のイメージ画像Ｉｄ１及び第２操作ダイヤルＤ２のイメージ画像Ｉｄ２の一部分が縁部から表示される。すなわち、イメージ画像Ｉｄ１及びＩｄ２の外周の一部分がサブディスプレー１６の縁部から表示領域に食み出して表示される。
【０１３０】
図８は、非操作時における第１操作ダイヤル及び第２操作ダイヤルのイメージ画像の表示の概念図である。
【０１３１】
図８に示すように、第１操作ダイヤルＤ１及び第２操作ダイヤルＤ２が操作されていない場合、第１操作ダイヤルＤ１のイメージ画像Ｉｄ１及び第２操作ダイヤルＤ２のイメージ画像Ｉｄ２の大部分は、表示領域外に隠れ、外周の一部分のみがサブディスプレー１６の縁部から表示される。なお、図８において、破線で示す部分が、イメージ画像Ｉｄ１及びＩｄ２の隠れる部分である。非操作時におけるサブディスプレー１６の表示レイアウトを「非操作時レイアウト」と称する。
【０１３２】
〈操作時〉
（１）第１操作ダイヤルＤ１を操作した場合
図９は、第１操作ダイヤルＤ１を回転操作した場合のサブディスプレーの表示の一例を示す平面図である。
【０１３３】
図９に示すように、第１操作ダイヤルＤ１を回転操作すると、隠れていた第１操作ダイヤルＤ１のイメージ画像Ｉｄ１が、サブディスプレー１６の縁部から表示領域に進出して現れる。
【０１３４】
ここで、第１操作ダイヤルＤ１のイメージ画像Ｉｄ１は、実際の第１操作ダイヤルＤ１と同じ外径を有し（ほぼ同じ外径を含む）、サブディスプレー１６の縁部から表示領域に進出して表示されると、実際の第１操作ダイヤルＤ１の回転軸ａｘ１と同軸上に位置する。
【０１３５】
この結果、図９に示すように、第１操作ダイヤルＤ１のイメージ画像Ｉｄ１がサブディスプレー１６の表示領域に表示されると、実際の第１操作ダイヤルＤ１の隠れた部分をイメージ画像Ｉｄ１が補完するように表示される。このとき、サブディスプレー１６に表示される第１操作ダイヤルＤ１のイメージ画像Ｉｄ１は、カメラボディ１０から露出した第１操作ダイヤルＤ１の一部を延長した円弧状の外形形状を有する画像となる。
【０１３６】
このように、実際の第１操作ダイヤルＤ１の隠れた部分をイメージ画像Ｉｄ１が補完するように表示することにより、実際の操作ダイヤルＤ１と、そのイメージ画像Ｉｄ１との関連性を明確にできる。
【０１３７】
第１操作ダイヤルＤ１のイメージ画像Ｉｄ１の出現に連動して、カメラの設定内容Ｉｃが余白領域にずれて表示される。余白領域とは、サブディスプレー１６の表示領域において、操作ダイヤルのイメージ画像が表示されていない部分のことである。すなわち、余白領域とは、操作ダイヤルのイメージ画像を表示した場合に何も表示されないで残っている部分のことである。
【０１３８】
カメラの設定内容Ｉｃを余白領域に表示する際、必要に応じてカメラの設定内容Ｉｃのサイズ及びレイアウトが変更される。図９に示す例では、サイズとレイアウトの双方を変更して、カメラの設定内容Ｉｃを余白領域に表示している。
【０１３９】
第１操作ダイヤルＤ１を回転操作した場合のサブディスプレー１６の表示レイアウトを「第１の操作時レイアウト」と称する。
【０１４０】
（２）第２操作ダイヤルＤ２を操作した場合
図１０は、第２操作ダイヤルＤ２を回転操作した場合のサブディスプレーの表示の一例を示す平面図である。
【０１４１】
図１０に示すように、第２操作ダイヤルＤ２を回転操作すると、隠れていた第２操作ダイヤルＤ２のイメージ画像Ｉｄ２が縁部から現れ、設定が表示された文字盤部分の画像を視認可能に表示される。
【０１４２】
また、この第２操作ダイヤルＤ２のイメージ画像Ｉｄ２の出現に連動して、カメラの設定内容Ｉｃが余白領域にずれて表示される。この際、カメラの設定内容Ｉｃのサイズが変更されて表示される。
【０１４３】
第２操作ダイヤルＤ２を回転操作した場合のサブディスプレー１６の表示レイアウトを「第２の操作時レイアウト」と称する。
【０１４４】
（３）イメージ画像が現れる方向
上記のように、操作ダイヤルが回転操作されると、回転操作された操作ダイヤルのイメージ画像が縁部から現れ、設定が表示された文字盤部分の画像を視認可能に表示される。すなわち、操作ダイヤルのイメージ画像が縁部からサブディスプレー１６の表示領域に進出して表示される。これにより、設定が表示された文字盤部分の画像を視認可能な状態で操作ダイヤルのイメージ画像がサブディスプレー１６に表示される。
【０１４５】
操作ダイヤルのイメージ画像が現れる方向は、サブディスプレー１６に対して各操作ダイヤルが配置された方向である。
【０１４６】
したがって、第１操作ダイヤルＤ１のイメージ画像Ｉｄ１は、サブディスプレー１６に対して第１操作ダイヤルＤ１が配置された方向に進退して、縁部から現れたり、消えたりする。この方向は、第１操作ダイヤルＤ１のイメージ画像Ｉｄ１が表示される縁部と直交する方向である。
【０１４７】
また、第２操作ダイヤルＤ２のイメージ画像Ｉｄ２は、サブディスプレー１６に対して第２操作ダイヤルＤ２が配置された方向に進退して、縁部から現れたり、消えたりする。この方向は、第２操作ダイヤルＤ２のイメージ画像Ｉｄ２が表示される縁部と直交する方向である。
【０１４８】
本実施の形態のデジタルカメラ１では、第１操作ダイヤルＤ１がサブディスプレー１６の後方に配置され、第２操作ダイヤルＤ２がサブディスプレー１６の右側方に配置される。
【０１４９】
したがって、第１操作ダイヤルＤ１のイメージ画像Ｉｄ１は、前後方向（ｚ方向）に進退して、後方の縁部から表示領域に現れたり、消えたりする。より具体的には、第１操作ダイヤルＤ１のイメージ画像Ｉｄ１は、第１操作ダイヤルＤ１の配置位置を基準に前後方向（ｚ方向）に進退して、後方の縁部から表示領域に現れたり、消えたりする。
【０１５０】
また、第２操作ダイヤルＤ２のイメージ画像Ｉｄ２は、横方向（ｘ方向）に進退して、右側方の縁部から表示領域に現れたり、消えたりする。より具体的には、第２操作ダイヤルＤ２のイメージ画像Ｉｄ２は、第２操作ダイヤルＤ２の配置位置を基準に横方向（ｘ方向）に進退して、右側方の縁部から表示領域に現れたり、消えたりする。
【０１５１】
操作ダイヤルが操作された場合にイメージ画像が表示される位置を「表示位置」と称すると、表示位置は、少なくとも文字盤の表示が視認可能な位置に設定される。特に、表示位置は、操作ダイヤルで設定される情報を視認可能な位置に設定される。表示位置が、操作ダイヤルで設定される情報を視認可能な位置であるので、必ずしもイメージ画像の全体が表示される必要はない。イメージ画像の一部が隠れていてもよい。
【０１５２】
一方、退避させた場合にイメージ画像が表示される位置を「退避位置」と称すると、退避位置は、少なくとも操作ダイヤルのイメージ画像の外周の一部が、サブディスプレー１６の縁に残存して表示される位置に設定される。退避位置において、各操作ダイヤルのイメージ画像は、サブディスプレー１６の表示面上で存在自体は認識できるが、設定値は確認できない状態に設定される。特に、本例では、文字盤部分の表示を確認できない位置に退避位置が設定されている。
【０１５３】
《操作ダイヤルのイメージ画像の具体例》
各操作ダイヤルのイメージ画像は、割り当てられる機能に応じた画像で構成される。
【０１５４】
本実施の形態のデジタルカメラ１では、第１操作ダイヤルＤ１及び第２操作ダイヤルＤ２に、（１）露出補正値を設定する機能、（２）シャッタースピードを設定する機能、（３）感度を設定する機能、（４）絞り値を設定する機能を割り当てることができる。
【０１５５】
なお、いずれの機能が割り当てられた場合も操作ダイヤルのイメージ画像の外形は同じであり、円形状とされ、その円の内側の部分の画像、すなわち、文字盤部分の画像が割り当てられる機能に応じて変えられる。以下、割り当てられた機能ごとに、そのイメージ画像の一例を説明する。
【０１５６】
〈基本の表示形態〉
（１）露出補正値を設定する機能が割り当てられた場合のイメージ画像
図１１は、露出補正値を設定する機能が割り当てられた場合の操作ダイヤルのイメージ画像の一例を示す図である。
【０１５７】
同図に示すように、露出補正値を設定する機能が割り当てられた場合、その操作ダイヤルのイメージ画像Ｉｄは、一般的な露出補正ダイヤルを平面視した画像で構成される。具体的には、図１１に示すように、円の内側の文字盤部分に設定可能な露出補正値が、同一円周上に一定ピッチで表示された画像で構成される。
【０１５８】
図１１に示す例は、−３から＋３までの間において、１／３段のステップ幅で露出補正値を設定する場合のイメージ画像Ｉｄの一例を示している。この場合、中間値（±０と＋１の間、＋１と＋２の間、＋２と＋３の間、±０と−１の間、−１と−２の間、−２と−３の間）は、ドット「・」で表示される。
【０１５９】
（２）シャッタースピードを設定する機能が割り当てられた場合のイメージ画像
図１２は、シャッタースピードを設定する機能が割り当てられた場合の操作ダイヤルのイメージ画像の一例を示す図である。
【０１６０】
同図に示すように、シャッタースピードを設定する機能が割り当てられた場合、その操作ダイヤルのイメージ画像Ｉｄは、一般的なシャッタースピードダイヤルを平面視した画像で構成される。具体的には、図１２に示すように、文字盤部分に設定可能なシャッタースピードが、同一円周上に一定ピッチで表示された画像で構成される。
【０１６１】
図１２に示す例は、１秒から１／４０００秒まで間において、１段のステップ幅でシャッタースピードを設定する場合のイメージ画像Ｉｄの一例を示している。
【０１６２】
一般にシャッタースピードダイヤルでは、シャッタースピードが逆数で表示される。すなわち、たとえば、シャッタースピードが１／６０秒の場合、文字盤には「６０」と表示される。同様にシャッタースピードが１／４０００秒の場合、文字盤には「４０００」と表示される。
【０１６３】
なお、図１２に示す例において、「Ｂ」はバルブ撮影モード、「Ｔ」はタイム撮影モードを表わしている。バルブ撮影モードとは、シャッターボタン３０を押している間、シャッターを開き、離すと閉じるモードのことである。また、タイム撮影モードとは、露光時間をユーザーが指定するモードである。主として長時間露光に使用される。
【０１６４】
（３）感度を設定する機能が割り当てられた場合のイメージ画像
図１３は、感度を設定する機能が割り当てられた場合の操作ダイヤルのイメージ画像の一例を示す図である。
【０１６５】
同図に示すように、感度を設定する機能が割り当てられた場合、その操作ダイヤルのイメージ画像Ｉｄは、一般的な感度ダイヤルを平面視した画像で構成される。具体的には、文字盤部分に設定可能な感度が、同一円周上に一定ピッチで表示された画像で構成される。
【０１６６】
図１３に示す例は、ＩＳＯ１００からＩＳＯ５１２００までの間において、１段のステップ幅でＩＳＯ感度を設定する場合のイメージ画像Ｉｄの一例を示している（ＩＳＯ：International Organization for Standardization／国際標準化機構）。
【０１６７】
（４）絞り値を設定する機能が割り当てられた場合のイメージ画像
図１４は、絞り値を設定する機能が割り当てられた場合の操作ダイヤルのイメージ画像の一例を示す図である。
【０１６８】
同図に示すように、絞り値を設定する機能が割り当てられた場合、その操作ダイヤルのイメージ画像Ｉｄは、文字盤部分に設定可能な絞り値が同一円周上に一定ピッチで表示された画像で構成される。
【０１６９】
図１４に示す例は、Ｆ１．４からＦ３２秒まで１段のステップ幅で絞り値を設定する場合のイメージ画像Ｉｄの一例を示している。設定可能な絞り値は、使用する撮影レンズに応じて一意に定められる。
【０１７０】
〈操作ダイヤルの指標〉
図９及び図１０に示すように、第１操作ダイヤルＤ１及び第２操作ダイヤルＤ２が操作されて、そのイメージ画像Ｉｄ１及びＩｄ２がサブディスプレー１６に表示されると、指標のイメージ画像Ｉｉ１及びＩｉ２がサブディスプレー１６に表示される。
【０１７１】
指標は、現在の設定を指し示すものである。本例において、指標のイメージ画像Ｉｉ１及びＩｉ２は、バー形状に図形で構成される。
【０１７２】
指標のイメージ画像Ｉｉ１及びＩｉ２は、各操作ダイヤルのイメージ画像に対して外周部近傍の所定の位置に表示される。具体的には、図９に示すように、第１操作ダイヤルＤ１のイメージ画像Ｉｄ１に対する指標のイメージ画像Ｉｉ１は、第１操作ダイヤルＤ１のイメージ画像Ｉｄ１に対して９時の位置に表示される。また、図１０に示すように、第２操作ダイヤルＤ２のイメージ画像Ｉｄ２に対する指標のイメージ画像Ｉｉ２は、第２操作ダイヤルＤ２のイメージ画像Ｉｄ２に対して９時の位置に表示される。
【０１７３】
各操作ダイヤルのイメージ画像は、指標のイメージ画像が指し示す位置に現在設定されている値が表示される。すなわち、指標のイメージ画像が指し示す位置に現在設定されている値が位置するように、文字盤の画像が構成される。たとえば、操作ダイヤルに露出補正値を設定する機能が割り当てられており、露出補正値が０に設定されている場合、図１１に示すように、指標のイメージ画像Ｉｉが指し示す位置に０が位置するように文字盤の画像が構成される。また、たとえば、操作ダイヤルにシャッタースピードを設定する機能が割り当てられており、シャッタースピードが１／６０秒に設定されている場合、図１２に示すように、指標のイメージ画像Ｉｉが指し示す位置に６０が位置するように文字盤の画像が構成される。
【０１７４】
縁部から現れた各操作ダイヤルのイメージ画像は、少なくとも指標のイメージ画像が指し示す部分を視認できる状態でサブディスプレー１６に表示される。本実施の形態のデジタルカメラ１では、各操作ダイヤルのイメージ画像に対して９時の位置に指標のイメージ画像が表示されるので、少なくとも文字盤の９時の部分の画像を視認できる状態で各操作ダイヤルのイメージ画像が表示される。
【０１７５】
〈回転操作中の表示形態〉
各操作ダイヤルのイメージ画像が、サブディスプレー１６の表示領域に現れている状態で操作ダイヤルが回転操作されると、その操作に連動して、表示中のイメージ画像が回転して表示される。たとえば、第１操作ダイヤルＤ１のイメージ画像Ｉｄ１がサブディスプレー１６の表示領域に現れている状態で第１操作ダイヤルＤ１が回転操作されると、表示中の第１操作ダイヤルＤ１のイメージ画像Ｉｄ１が、画像の中心を軸にして、操作された方向と同じ方向に回転する。
【０１７６】
ここで、実際の操作ダイヤルを１クリック分回転させると、イメージ画像は１項目分回転する。たとえば、実際の操作ダイヤルを時計回りに１クリック分回転させると、そのイメージ画像は時計回りに１項目分回転する。すなわち、１クリックごとに１項目ずつ繰り上げられて又は繰り下げられて設定されるように回転する。
【０１７７】
［操作ダイヤルに割り当てる機能］
各操作ダイヤルに割り当てる機能は、ユーザーが設定する。ユーザーは、メインディスプレー１４に所定の設定画面を呼び出して、各操作ダイヤルに割り当てる機能を設定する。
【０１７８】
上記のように、本実施の形態のデジタルカメラ１では、第１操作ダイヤルＤ１及び第２操作ダイヤルＤ２に割り当てる機能として、（１）露出補正値を設定する機能、（２）シャッタースピードを設定する機能、（３）感度を設定する機能、（４）絞り値を設定する機能が用意されている。ユーザーは、いずれかの機能を選択して、第１操作ダイヤルＤ１及び第２操作ダイヤルＤ２に割り当てる。
【０１７９】
《サブディスプレーの表示に関わる制御系》
図１５は、サブディスプレーの表示に関わる制御系のブロック図である。
【０１８０】
サブディスプレー１６の表示に関わる制御系１００は、第１操作ダイヤルＤ１及び第２操作ダイヤルＤ２に割り当てる機能を設定する機能設定部１１０と、第１操作ダイヤルＤ１の操作に応じて第１操作ダイヤルＤ１に割り当てられた機能を設定する第１設定部１１２と、第２操作ダイヤルＤ２の操作に応じて第２操作ダイヤルＤ２に割り当てられた機能を設定する第２設定部１１４と、サブディスプレー１６の表示を制御するサブディスプレー表示制御部１１６と、を備える。
【０１８１】
《機能設定部》
機能設定部１１０は、第１操作ダイヤルＤ１及び第２操作ダイヤルＤ２に割り当てる機能を設定する。
【０１８２】
上記のように、第１操作ダイヤルＤ１及び第２操作ダイヤルＤ２に割り当てる機能は、所定の設定画面において、ユーザーが設定する。機能設定部１１０は、所定の設定画面で設定された機能を第１操作ダイヤルＤ１及び第２操作ダイヤルＤ２に割り当てる。たとえば、設定画面で第１操作ダイヤルＤ１にシャッタースピードを設定する機能が割り当てられ、第２操作ダイヤルＤ２に露出補正値を設定する機能が割り当てられた場合、第１操作ダイヤルＤ１にシャッタースピードを設定する機能を割り当て、第２操作ダイヤルＤ２に露出補正値を設定する機能を割り当てる。
【０１８３】
第１操作ダイヤルＤ１及び第２操作ダイヤルＤ２に割り当てられた機能は、データメモリ６４に記録される。
【０１８４】
機能設定部１１０の機能は、システムコントローラー８０の一機能として提供される。すなわち、マイクロコンピューターが、所定の制御プログラムを実行することにより、システムコントローラー８０が機能設定部１１０の機能を提供する。
【０１８５】
《第１設定部》
第１設定部１１２は、第１操作ダイヤルＤ１の回転操作に応じて、第１操作ダイヤルＤ１に割り当てられた機能の設定処理を行う。たとえば、第１操作ダイヤルＤ１にシャッタースピードを設定する機能が割り当てられた場合、第１設定部１１２は、第１操作ダイヤルＤ１の回転操作に応じて、シャッタースピードを設定する処理を行う。
【０１８６】
ここで、第１操作ダイヤルＤ１の回転操作は、第１操作ダイヤルＤ１に備えられた第１回転操作検出部１２４で検出される。第１回転操作検出部１２４は、第１操作ダイヤルＤ１の回転操作方向及び回転操作量を検出する。第１回転操作検出部１２４は、たとえば、ロータリーエンコーダー、回転ブラシ等の公知の回転検出手段で構成される。第１回転操作検出部１２４の検出結果は、システムコントローラー８０に出力される。
【０１８７】
第１設定部１１２の機能は、システムコントローラー８０の一機能として提供される。すなわち、マイクロコンピューターが、所定の制御プログラムを実行することにより、システムコントローラー８０が第１設定部１１２の機能を提供する。
【０１８８】
《第２設定部》
第２設定部１１４は、第２操作ダイヤルＤ２の回転操作に応じて、第２操作ダイヤルＤ２に割り当てられた機能の設定処理を行う。たとえば、第２操作ダイヤルＤ２に露出補正値を設定する機能が割り当てられた場合、第２設定部１１４は、第２操作ダイヤルＤ２の回転操作に応じて、露出補正値を設定する処理を行う。
【０１８９】
ここで、第２操作ダイヤルＤ２の回転操作は、第２操作ダイヤルＤ２に備えられた第２回転操作検出部１２６で検出される。第２回転操作検出部１２６は、第２操作ダイヤルＤ２の回転操作方向及び回転操作量を検出する。第２回転操作検出部１２６は、たとえば、ロータリーエンコーダー、回転ブラシ等の公知の回転検出手段で構成される。第２回転操作検出部１２６の検出結果は、システムコントローラー８０に出力される。
【０１９０】
第２設定部１１４の機能は、システムコントローラー８０の一機能として提供される。すなわち、マイクロコンピューターが、所定の制御プログラムを実行することにより、システムコントローラー８０が第２設定部１１４の機能を提供する。
【０１９１】
《サブディスプレー表示制御部》
サブディスプレー表示制御部１１６は、表示制御部の一例であり、サブディスプレー１６の表示を制御する。サブディスプレー表示制御部１１６は、サブディスプレー１６に表示するデジタルカメラ１の設定内容の情報を取得し、所定のフォーマットでサブディスプレー１６に表示する。
【０１９２】
また、サブディスプレー表示制御部１１６は、各操作ダイヤルのイメージ画像Ｉｄ１及びＩｄ２をサブディスプレー１６に表示する。上記のように、各操作ダイヤルのイメージ画像Ｉｄ１及びＩｄ２については、各操作ダイヤルの操作に応じて、サブディスプレー１６の縁部から表示領域に進退させて表示する。また、これに連動して設定内容の表示位置を調整する。
【０１９３】
サブディスプレー表示制御部１１６の機能は、システムコントローラー８０の一機能として提供される。すなわち、マイクロコンピューターが、所定の制御プログラム（設定表示プログラム）を実行することにより、システムコントローラー８０がサブディスプレー表示制御部１１６の機能を提供する。
【０１９４】
［サブディスプレーへの設定表示方法］
以下、本実施の形態のデジタルカメラ１によるサブディスプレー１６への設定表示方法について説明する。
【０１９５】
図１６は、サブディスプレーに対する表示の処理手順を示すフローチャートである。
【０１９６】
デジタルカメラ１の電源が投入されると、サブディスプレー表示制御部１１６は、デジタルカメラ１の設定情報を取得する（ステップＳ１０）。取得する情報は、カメラの設定内容としてサブディスプレー１６に表示する情報である。本実施の形態のデジタルカメラ１の場合、カメラの設定内容として、シャッタースピード、絞り値、感度及び撮影可能枚数の情報がサブディスプレー１６に表示される。したがって、サブディスプレー表示制御部１１６は、シャッタースピード、絞り値、感度及び撮影可能枚数の情報を取得する。
【０１９７】
サブディスプレー１６に表示するのに必要な情報が取得されると、サブディスプレー表示制御部１１６は、非操作時レイアウトでカメラの設定内容及び各操作ダイヤルのイメージ画像をサブディスプレー１６に表示する（ステップＳ１１）。非操作時レイアウトは、図７に示すように、カメラの設定内容Ｉｃがメインで表示され、第１操作ダイヤルＤ１のイメージ画像Ｉｄ１及び第２操作ダイヤルＤ２のイメージ画像Ｉｄ２は、サブディスプレー１６の縁部に一部のみが表示される。
【０１９８】
この後、サブディスプレー表示制御部１１６は、第１回転操作検出部１２４及び第２回転操作検出部１２６からの入力に基づいて、第１操作ダイヤルＤ１及び第２操作ダイヤルＤ２の操作の有無を判定する（ステップＳ１２）。
【０１９９】
第１操作ダイヤルＤ１又は第２操作ダイヤルＤ２の操作ありと判定すると、その操作が第１操作ダイヤルＤ１によるものか否かを判定する（ステップＳ１３）。
【０２００】
ここで、回転操作された操作ダイヤルが、第１操作ダイヤルＤ１であると判定すると、第１の操作時レイアウトでカメラの設定内容及び各操作ダイヤルのイメージ画像をサブディスプレー１６に表示する（ステップＳ１４）。
【０２０１】
第１の操作時レイアウトでは、図９に示すように、第１操作ダイヤルＤ１のイメージ画像Ｉｄ１が表示領域に現れ、カメラの設定内容Ｉｃは、余白領域に移動して表示される。この際、サブディスプレー表示制御部１１６は、第１操作ダイヤルＤ１のイメージ画像Ｉｄ１を縁部から表示領域に進出させて表示する。また、サブディスプレー表示制御部１１６は、第１操作ダイヤルＤ１が継続して回転操作された場合は、その操作に連動させて、第１操作ダイヤルＤ１のイメージ画像Ｉｄ１を回転させる。
【０２０２】
この後、サブディスプレー表示制御部１１６は、第１回転操作検出部１２４からの入力に基づいて、第１操作ダイヤルＤ１の操作が終了したか否かを判定する（ステップＳ１５）。第１操作ダイヤルＤ１の操作が終了したと判定すると、操作終了から一定時間が経過したか否かを判定する（ステップＳ１８）。
【０２０３】
操作終了から一定時間が経過したと判定すると、電源がオフされたか否かを判定する（ステップＳ１９）。電源がオフされた場合は、処理を終了する。一方、電源がオフされていないと判定すると、ステップＳ１１に戻り、非操作時レイアウトでカメラの設定内容及び各操作ダイヤルのイメージ画像をサブディスプレー１６に表示する（ステップＳ１１）。
【０２０４】
また、ステップＳ１３において、回転操作された操作ダイヤルが、第１操作ダイヤルＤ１ではないと判定すると、第２の操作時レイアウトでカメラの設定内容及び各操作ダイヤルのイメージ画像をサブディスプレー１６に表示する（ステップＳ１６）。
【０２０５】
第２の操作時レイアウトでは、図１０に示すように、第２操作ダイヤルＤ２のイメージ画像Ｉｄ２が表示領域に現れ、カメラの設定内容Ｉｃは、余白領域に移動して表示される。この際、サブディスプレー表示制御部１１６は、第２操作ダイヤルＤ２のイメージ画像Ｉｄ２を縁部から表示領域に進出させて表示する。また、サブディスプレー表示制御部１１６は、第２操作ダイヤルＤ２が継続して回転操作された場合は、その操作に連動させて、第２操作ダイヤルＤ２のイメージ画像Ｉｄ２を回転させる。
【０２０６】
この後、サブディスプレー表示制御部１１６は、第２回転操作検出部１２６からの入力に基づいて、第２操作ダイヤルＤ２の操作が終了したか否かを判定する（ステップＳ１７）。第２操作ダイヤルＤ２の操作が終了したと判定すると、操作終了から一定時間が経過したか否かを判定する（ステップＳ１８）。
【０２０７】
操作終了から一定時間が経過したと判定すると、電源がオフされたか否かを判定する（ステップＳ１９）。電源がオフされた場合は、処理を終了する。一方、電源がオフされていないと判定すると、ステップＳ１１に戻り、非操作時レイアウトでカメラの設定内容及び各操作ダイヤルのイメージ画像をサブディスプレー１６に表示する（ステップＳ１１）。
【０２０８】
このように、サブディスプレー表示制御部１１６は、第１操作ダイヤルＤ１及び第２操作ダイヤルＤ２の操作に応じて、サブディスプレー１６を制御する。
【０２０９】
［効果］
以上説明したように、本実施の形態のデジタルカメラ１によれば、サブディスプレー１６の周囲に配置された操作ダイヤルを操作すると、そのイメージ画像Ｉｄ１又はＩｄ２がサブディスプレー１６に現れ、操作ダイヤルによって設定される内容を確認できる。これにより、操作ダイヤルよる設定を容易にできる。
【０２１０】
また、操作した操作ダイヤルのイメージ画像は、操作した操作ダイヤルの配置方向から現れるので、操作した操作ダイヤルとサブディスプレー１６の表示との関連性を明確にできる。これにより、複数の操作ダイヤルが備えられている場合であっても、良好な操作性を提供できる。
【０２１１】
さらに、非操作時には、各操作ダイヤルのイメージ画像Ｉｄ１及びＩｄ２を退避させるので、カメラの設定内容Ｉｃを大きく表示できる。これにより、カメラの設定内容Ｉｃの視認性を向上できる。
【０２１２】
また、非操作時には、各操作ダイヤルのイメージ画像Ｉｄ１及びＩｄ２を完全に隠すのではなく、一部が表示されることにより、操作ダイヤルの存在をユーザーに認識させることができる。各操作ダイヤルのイメージ画像Ｉｄ１及びＩｄ２の一部が表示されることにより、イメージ画像が表示される位置及び形状を容易に把握できる。これにより、より高い操作性を実現できる。すなわち、イメージ画像Ｉｄ１及びＩｄ２が表示される位置及び形状を把握できることにより、操作する際にどの位置を見ながら操作すればよいのかが明瞭になり、良好な操作性を実現できる。
【０２１３】
［変形例］
《表示形態の変形例》
〈一度に複数の操作ダイヤルのイメージ画像を表示する場合〉
上記実施の形態では、第１操作ダイヤルＤ１及び第２操作ダイヤルＤ２のいずれか一方が操作された場合に、操作された操作ダイヤルのイメージ画像を縁部から表示領域に進出させて表示する構成としている。この場合、操作した操作ダイヤルの設定しか確認できない。双方の設定を確認するためには、双方のイメージ画像を表示領域に表示する必要がある。
【０２１４】
（１）一度に複数の操作ダイヤルのイメージ画像を表示する場合の表示例（１）
〔表示例〕
図１７は、一度に複数の操作ダイヤルのイメージ画像をサブディスプレーに表示する場合の一例を示す平面図である。
【０２１５】
図１７に示すように、一度に複数の操作ダイヤルのイメージ画像をサブディスプレー１６に表示する場合、少なくとも各操作ダイヤルの設定が確認できるように、相互の干渉を回避してイメージ画像を表示する。
【０２１６】
上記実施の形態のデジタルカメラ１では、各操作ダイヤルのイメージ画像の９時の位置に現在の設定が表示されるので、少なくとも９時の位置に表示が重ならないように、各操作ダイヤルのイメージ画像が表示される。
【０２１７】
図１７に示す例では、第１操作ダイヤルＤ１のイメージ画像Ｉｄ１の上に第２操作ダイヤルＤ２のイメージ画像Ｉｄ２を重ねて表示している。これにより、双方のイメージ画像において、設定が表示されている部分が隠れることなく表示できる。
【０２１８】
カメラの設定内容Ｉｃは、余白領域に表示される。本例の場合、サイズ及びレイアウトを変更して、カメラの設定内容Ｉｃを余白領域に表示している。
【０２１９】
〔一度に複数の操作ダイヤルのイメージ画像を表示させるための処理手順〕
一定時間内に複数の操作ダイヤルが操作された場合に、操作された操作ダイヤルのイメージ画像をサブディスプレー１６の表示領域に表示させることができる。たとえば、第１操作ダイヤルＤ１の操作後、一定時間内に第２操作ダイヤルＤ２が操作されると、図１７に示すように、第１操作ダイヤルＤ１のイメージ画像Ｉｄ１及び第２操作ダイヤルＤ２のイメージ画像Ｉｄ２をサブディスプレー１６の表示領域に表示されるように構成する。あるいは、第２操作ダイヤルＤ２の操作後、一定時間内に第１操作ダイヤルＤ１が操作されると、図１７に示すように、第１操作ダイヤルＤ１のイメージ画像Ｉｄ１及び第２操作ダイヤルＤ２のイメージ画像Ｉｄ２をサブディスプレー１６の表示領域に表示されるように構成する。
【０２２０】
図１８は、一定時間内に複数の操作ダイヤルが操作された場合に、操作された操作ダイヤルのイメージ画像を表示させる場合の手順を示すフローチャートである。
【０２２１】
なお、操作した操作ダイヤルのイメージ画像が表示領域に表示されるまでの処理（ステップＳ１０〜Ｓ１７）は、図１６に示した処理の手順と同じなので、ここでは、操作した操作ダイヤルのイメージ画像を表示領域に表示した後の処理について説明する。
【０２２２】
第１操作ダイヤルＤ１又は第２操作ダイヤルＤ２が操作され、その操作が終了すると、他方側の操作ダイヤルの操作の有無が判定される（ステップＳ２０）。たとえば、第１操作ダイヤルＤ１が操作された場合において、その操作が終了すると、第２操作ダイヤルＤ２の操作の有無が判定される。また、第２操作ダイヤルＤ２が操作された場合において、その操作が終了すると、第１操作ダイヤルＤ１の操作の有無が判定される。
【０２２３】
第１操作ダイヤルＤ１が操作されていない場合は、操作終了から一定時間が経過したか否かを判定する（ステップＳ２３）。そして、操作終了から一定時間が経過したと判定すると、電源がオフされたか否かを判定する（ステップＳ２４）。電源がオフされた場合は、処理を終了する。一方、電源がオフされていないと判定すると、ステップＳ１１に戻り、非操作時レイアウトでカメラの設定内容及び各操作ダイヤルのイメージ画像をサブディスプレー１６に表示する（ステップＳ１１）。
【０２２４】
一方、操作終了後から一定時間内に他方側の操作ダイヤルが操作されると、サブディスプレー表示制御部１１６は、第３の操作時レイアウトでカメラの設定内容及び各操作ダイヤルのイメージ画像をサブディスプレー１６に表示する（ステップＳ２１）。
【０２２５】
ここで、第３の操作時レイアウトとは、図１７に示すように、第１操作ダイヤルＤ１及び第２操作ダイヤルＤ２の双方のイメージ画像Ｉｄ１及びＩｄ２を表示領域に表示する場合のサブディスプレー１６の表示レイアウトのことである。
【０２２６】
第３の操作時レイアウトでは、図１７に示すように、第１操作ダイヤルＤ１のイメージ画像Ｉｄ１及び第２操作ダイヤルＤ２のイメージ画像Ｉｄ２が表示領域に現れ、カメラの設定内容Ｉｃは、余白領域に移動して表示される。なお、操作ダイヤルが継続して回転操作された場合は、その操作に連動して、操作された操作ダイヤルのイメージ画像が回転して表示される。
【０２２７】
この後、サブディスプレー表示制御部１１６は、操作ダイヤルの操作が終了したか否かを判定する（ステップＳ２２）。操作ダイヤルの操作が終了したと判定すると、操作終了から一定時間が経過したか否かを判定する（ステップＳ２３）。
【０２２８】
操作終了から一定時間が経過したと判定すると、電源がオフされたか否かを判定する（ステップＳ２４）。電源がオフされた場合は、処理を終了する。一方、電源がオフされていないと判定すると、ステップＳ１１に戻り、非操作時レイアウトでカメラの設定内容及び各操作ダイヤルのイメージ画像をサブディスプレー１６に表示する（ステップＳ１１）。
【０２２９】
このように、一定時間内に複数の操作ダイヤルが操作された場合に、操作された全ての操作ダイヤルのイメージ画像をサブディスプレー１６の表示領域に表示させることができる。
【０２３０】
（２）一度に複数の操作ダイヤルのイメージ画像を表示する場合の表示例（２）
上記表示例（１）では、相互の干渉を回避して２つの操作ダイヤルＤ１及びＤ２のイメージ画像Ｉｄ１及びＩｄ２をサブディスプレー１６に表示している。本例では、操作した順に重ねて表示する。すなわち、操作するたびに、操作した操作ダイヤルのイメージ画像が上に重ねられて表示される。この場合、常に、最後に操作した操作ダイヤルのイメージ画像が最上位に表示される。
【０２３１】
上記実施の形態のデジタルカメラ１のように、カメラボディ１０に２つの操作ダイヤルＤ１及びＤ２が備えられている場合、最後に操作した操作ダイヤルのイメージ画像が上に表示される。
【０２３２】
図１９及び図２０は、それぞれ一定時間内に複数の操作ダイヤルが操作された場合のサブディスプレーの表示の一例を示す平面図である。図１９は、第２操作ダイヤルＤ２を操作した後、一定時間内に第１操作ダイヤルＤ１を操作した場合のサブディスプレー１６の表示を示している。また、図２０は、第１操作ダイヤルＤ１を操作した後、一定時間内に第２操作ダイヤルを操作した場合のサブディスプレー１６の表示を示している。
【０２３３】
第２操作ダイヤルＤ２を操作した後、一定時間内に第１操作ダイヤルＤ１を操作すると、図１９に示すように、第２操作ダイヤルＤ２のイメージ画像Ｉｄ２の上に第１操作ダイヤルＤ１のイメージ画像Ｉｄ１が重ねて表示される。
【０２３４】
一方、第１操作ダイヤルＤ１を操作した後、一定時間内に第２操作ダイヤルを操作すると、図２０に示すように、第１操作ダイヤルＤ１のイメージ画像Ｉｄ１の上に第２操作ダイヤルＤ２のイメージ画像Ｉｄ２が重ねて表示される。
【０２３５】
このように、最後に操作した操作ダイヤルのイメージ画像が、常に最上位に位置するように重ねて表示される。これにより、最も必要と想定される情報を優先的に表示できる。
【０２３６】
〈一括して複数の操作ダイヤルのイメージ画像を表示させる場合〉
全ての操作ダイヤルのイメージ画像の表示を指示する表示指示部を設け、その表示指示部からの指示に応じて、全ての操作ダイヤルのイメージ画像をサブディスプレー１６の表示領域に表示させてもよい。表示指示部は、たとえば、カメラボディに備えたボタンで構成することができる。
【０２３７】
図２１は、表示指示部としての確認ボタンを備えたデジタルカメラの外観構成を示す平面図である。
【０２３８】
同図に示すように、カメラボディ１０の天面には、表示指示部としての確認ボタン３３が備えられている。確認ボタン３３は、全ての操作ダイヤルのイメージ画像の表示を指示するボタンとして機能する。確認ボタン３３は、サブディスプレー１６の近傍に配置される。確認ボタン３３を押下すると、その操作情報がシステムコントローラー８０に出力される。
【０２３９】
確認ボタン３３が押下されると、サブディスプレー表示制御部１１６は、図１７に示すように、第３の操作時レイアウトでカメラの設定内容及び各操作ダイヤルのイメージ画像をサブディスプレー１６に表示する。
【０２４０】
なお、サブディスプレー１６の表示が、第３の操作時レイアウトの状態で確認ボタン３３が押下されると、サブディスプレー表示制御部１１６は、非操作時レイアウトでカメラの設定内容及び各操作ダイヤルのイメージ画像をサブディスプレー１６に表示する。
【０２４１】
《操作ダイヤルのイメージ画像の変形例》
上記実施の形態では、文字盤部分に設定可能な項目を同一円周上に一定間隔で表示した画像を操作ダイヤルのイメージ画像に使用しているが、操作ダイヤルのイメージ画像の例は、これに限定されるものではない。
【０２４２】
〈変形例（１）〉
図２２及び図２３は、操作ダイヤルのイメージ画像の他の一例が表示されたサブディスプレーの平面図である。
【０２４３】
同図に示す例は、円形の図形で操作ダイヤルのイメージ画像Ｉｄ１及びＩｄ２を構成し、円の内側の文字盤部分に現在設定されている項目のみを表示する態様である。
【０２４４】
図２２は、第１操作ダイヤルＤ１にシャッタースピードを設定する機能が割り当てられた場合の例を示しており、現在設定されているシャッタースピードが１／６０秒の場合の例を示している。この場合、外形を画定する円の内側（文字盤部分）に現在設定されているシャッタースピードである「１／６０」が表示される。
【０２４５】
図２３は、第２操作ダイヤルＤ２に露出補正値を設定する機能が割り当てられた場合の例を示しており、現在設定されている露出補正値が−２の場合の例を示している。この場合、外形を画定する円の内側（文字盤部分）に現在設定されている露出補正値である「−２」が表示される。
【０２４６】
このような構成のイメージ画像は、現在の設定を大きく表示でき、設定を見やすくできる。
【０２４７】
なお、本例のように、文字盤部分に現在設定されている項目のみを表示する場合、指標のイメージ画像は表示されない。
【０２４８】
また、文字盤部分に表示した設定値は非回転とされる。すなわち、操作ダイヤルを回転操作しても、文字盤部分に表示した設定値は回転しない。この場合、イメージ画像の回転が明確になるように、各操作ダイヤルのイメージ画像の外周部分に模様を付すことが好ましい。
【０２４９】
図２２及び図２３には、各操作ダイヤルＤ１及びＤ２のイメージ画像Ｉｄ１及びＩｄ２の外周部に溝を模した模様ｇ１又はｇ２を付した例が示されている。この模様は、一定ピッチで表示される線で構成される。
【０２５０】
このような模様ｇ１又はｇ２をイメージ画像Ｉｄ１又はＩｄ２の外周部分に付すことにより、各操作ダイヤルＤ１又はＤ２のイメージ画像Ｉｄ１又はＩｄ２を回転させた際、その動きを明確にできる。すなわち、イメージ画像Ｉｄ１又はＩｄ２を回転させると、外周部分の模様ｇ１又はｇ２がアニメーションとして動くので、回転していることを明確にできる。これにより、より良好な操作性を提供できる。
【０２５１】
図２４は、操作ダイヤルのイメージ画像に現在設定されている項目のみを表示する場合において、全ての操作ダイヤルのイメージ画像をサブディスプレーに表示する場合の一例を示す図である。
【０２５２】
同図に示すように、操作ダイヤルのイメージ画像に現在設定されている項目のみを表示する場合において、全ての操作ダイヤルのイメージ画像をサブディスプレーに表示する場合、各操作ダイヤルのイメージ画像を認識可能な状態で表示される。
【０２５３】
なお、同図に示す例では、表示領域を分割することにより、互いに重なり合う部分の干渉を回避している。
【０２５４】
〈変形例（２）〉
図２５は、操作ダイヤルのイメージ画像の他の一例が表示されたサブディスプレーの平面図である。
【０２５５】
同図に示す例は、円形の図形で操作ダイヤルのイメージ画像を構成し、円の内側の文字盤部分に現在設定されている項目と、その前後所定範囲の項目のみを表示する態様である。
【０２５６】
同図に示す例は、第１操作ダイヤルＤ１にシャッタースピードを設定する機能が割り当てられた場合の例を示しており、現在設定されているシャッタースピードが１／６０秒の場合の例を示している。この場合、外形を画定する円の内側（文字盤部分）に現在設定されているシャッタースピードである「６０」（１／６０秒の逆数表示）と、第１操作ダイヤルＤ１を時計回りに１クリック分回転させた場合に設定されるシャッタースピードである「３０」（１／３０秒の逆数表示）と、第１操作ダイヤルＤ１を反時計回りに１クリック分回転させた場合に設定されるシャッタースピードである「１２５」（１／１２５秒の逆数表示）とが、同一円周上に一定間隔で表示される。
【０２５７】
このように、操作ダイヤルのイメージ画像は、文字盤部分に現在設定されている項目と、その前後所定範囲の項目のみを表示した図形で構成することもできる。このような構成のイメージ画像は、項目の表示を大きくでき、より見やすい表示にできる。また、次の設定も確認でき、良好な操作性を提供できる。
【０２５８】
《操作ダイヤルのイメージ画像を進退させる態様の変形例》
上記実施の形態では、操作ダイヤルのイメージ画像のサイズは変えずに表示位置を変えることによって、操作ダイヤルのイメージ画像をサブディスプレー１６の縁部から表示領域に進退させているが、操作ダイヤルのイメージ画像をサブディスプレー１６の縁部から表示領域に進退させる方法は、これに限定されるものではない。
【０２５９】
図２６は、操作ダイヤルのイメージ画像をサブディスプレーの縁部から表示領域に進退させる態様の他の一例を示す図である。特に、第１操作ダイヤルＤ１を回転操作した場合の例を示している。
【０２６０】
本例では、操作ダイヤルのイメージ画像を拡縮させて、操作ダイヤルのイメージ画像をサブディスプレーの縁部から表示領域に進退させている。
【０２６１】
図２６において、破線で示すイメージ画像Ｉｄ１ａは、退避させた場合の第１操作ダイヤルＤ１のイメージ画像であり、実践で示すイメージ画像Ｉｄ１ｂは、表示領域に表示させた場合の第１操作ダイヤルＤ１のイメージ画像である。
【０２６２】
操作ダイヤルのイメージ画像は、外径が拡縮することにより、サブディスプレー１６の縁部から表示領域に進退して表示される。
【０２６３】
〈その他の変形例〉
上記実施の形態では、円盤状の操作ダイヤルを平面視した画像で操作ダイヤルのイメージ画像を構成しているが、操作ダイヤルのイメージ画像は、これに限定されるものではない。この他、たとえば、円盤状の操作ダイヤルを立体視した画像で操作ダイヤルのイメージ画像を構成することもできる。
【０２６４】
《操作時におけるカメラの設定内容の表示形態の変形例》
上記実施の形態では、操作ダイヤルが操作されて、そのイメージ画像がサブディスプレー１６の表示領域に現れると、カメラの設定内容Ｉｃは余白領域に退避する構成とされている。操作時におけるカメラの設定内容Ｉｃの表示形態は、これに限定されるものではない。
【０２６５】
図２７は、操作時におけるカメラの設定内容の表示形態の変形例を示す図である。特に、第１操作ダイヤルＤ１を回転操作した場合の例を示している。
【０２６６】
同図に示す例では、操作時において、カメラの設定内容Ｉｃを半透明化して表示している。この場合、表示領域に現れた第１操作ダイヤルＤ１のイメージ画像Ｉｄ１は、カメラの設定内容Ｉｃに重ねて表示される。
【０２６７】
《操作ダイヤルに割り当てる機能》
上記実施の形態では、操作ダイヤルにシャッタースピードを設定する機能、感度を設定する機能等を割り当てる場合を例に説明したが、操作ダイヤルに割り当てる機能は、上記のものに限定されるものではない。操作ダイヤルに割り当てる機能は、カメラに備えられる機能等に応じて、適宜設定できる。たとえば、上記の他に撮影モードを設定する機能、ボリュームを設定する機能、メインディスプレーの明るさを設定する機能等、種々の機能を割り当てることができる。
【０２６８】
また、上記実施の形態では、操作ダイヤルに割り当てる機能をユーザーが設定する構成としているが、自動的に設定する構成とすることもできる。選択した撮影モードに応じて、各操作ダイヤルに割り当てる機能を設定することもできる。
【０２６９】
《サブディスプレーに表示するカメラの設定内容》
上記実施の形態では、カメラの設定内容として、シャッタースピード、絞り値、感度、及び撮影可能枚数の各情報をサブディスプレー１６に表示しているが、サブディスプレー１６に表示するカメラの設定内容は、これに限定されるものではない。表示スペース等を考慮して、適宜設定できる。
【０２７０】
また、サブディスプレー１６に表示するカメラの設定内容は、モードに応じて自動的に切り替えてもよい。更に、ユーザーが自由に設定できるようにしてもよい。
【０２７１】
《表示方法の変形例》
上記実施の形態では、非操作時に各操作ダイヤルのイメージ画像の一部を表示部の縁部から表示させているが、表示させなくてもよい。すなわち、非操作時は、カメラの設定内容のみを表示してもよい。この場合、操作ダイヤルが操作された場合に、操作された操作ダイヤルのイメージ画像を表示部に表示する。これにより、非操作時におけるカメラの設定内容の視認性を向上できる。
【０２７２】
≪第２の実施の形態≫
［構成］
図２８は、第２の実施の形態のデジタルカメラの正面図である。また、図２９は、その平面図である。
【０２７３】
本実施の形態のデジタルカメラ１は、操作ダイヤルを３つ備えている。操作ダイヤルを３つ備えている点以外は、上記第１の実施の形態のデジタルカメラ１と同じである。したがって、ここでは、更に備えられた３つ目の操作ダイヤルに関わる構成についてのみ説明する。以下、更に備えられた３つ目の操作ダイヤルを第３操作ダイヤルと称する。
【０２７４】
図２８及び図２９に示すように、第３操作ダイヤルＤ３は、カメラボディ１０の正面側に備えられる。第３操作ダイヤルＤ３は、カメラボディ１０に埋め込まれて設置され、一部がカメラボディ１０の前面から露出して配置される。第３操作ダイヤルＤ３の一部が露出する位置は、図２８に示すように、グリップ２２の上部である。第３操作ダイヤルＤ３は、グリップ２２を把持する手の人指し指で操作可能に配置される。
【０２７５】
また、この第３操作ダイヤルＤ３が配置される位置は、図２９に示すように、平面視において、サブディスプレー１６の前方である。
【０２７６】
第３操作ダイヤルＤ３は、サブディスプレー１６の表示面と直交する回転軸を有し、この回転軸を中心に正逆回転操作可能に設けられる。また、第３操作ダイヤルＤ３は、クリック機構を有し、一定の角度間隔でクリックストップ可能に構成される。
【０２７７】
［サブディスプレーの表示］
本実施の形態のデジタルカメラ１におけるサブディスプレー１６の表示形態は、次のとおりである。
【０２７８】
《非操作時の表示形態》
図３０は、非操作時におけるサブディスプレーの表示の一例を示す平面図である。
【０２７９】
図３０に示すように、第１操作ダイヤルＤ１、第２操作ダイヤルＤ２及び第３操作ダイヤルＤ３が操作されていない場合、サブディスプレー１６には、カメラの設定内容Ｉｃが大きく表示される。
【０２８０】
また、図３０に示すように、第１操作ダイヤルＤ１、第２操作ダイヤルＤ２及び第３操作ダイヤルＤ３が操作されていない場合、サブディスプレー１６には、第１操作ダイヤルＤ１のイメージ画像Ｉｄ１、第２操作ダイヤルＤ２のイメージ画像Ｉｄ２及び第３操作ダイヤルＤ３のイメージ画像Ｉｄ３の一部分が縁部から表示される。
【０２８１】
ここで、第３操作ダイヤルＤ３のイメージ画像Ｉｄ３が表示される位置は、平面視において、サブディスプレー１６の前方側の縁部である。この位置は、サブディスプレー１６から見て第３操作ダイヤルＤ３が配置される位置に対応する。
【０２８２】
《操作時の表示形態》
図３１は、第３操作ダイヤルＤ３を回転操作した場合のサブディスプレーの表示の一例を示す平面図である。
【０２８３】
図３１に示すように、第３操作ダイヤルＤ３を回転操作すると、隠れていた第３操作ダイヤルＤ３のイメージ画像Ｉｄ３が縁部から現れ、指標のイメージ画像Ｉｉ３と共に文字盤部分の画像を視認可能に表示される。また、この第３操作ダイヤルＤ３のイメージ画像Ｉｄ３の出現に連動して、カメラの設定内容Ｉｃが余白領域にずれて表示される。
【０２８４】
なお、図３１は、第３操作ダイヤルＤ３に感度を設定する機能が割り当てられた場合の表示例を示している。特に、同図は、感度がＩＳＯ４００に設定されている場合の例が示されている。この場合、指標のイメージ画像Ｉｉ３が指し示す位置に「４００」が位置するように、イメージ画像Ｉｄ３の文字盤部分の画像が構成される。
【０２８５】
第３操作ダイヤルＤ３のイメージ画像Ｉｄ３が進退する方向は、サブディスプレー１６に対して第３操作ダイヤルＤ３が配置される方向である。本例では、光軸に沿って前後移動して、サブディスプレー１６の表示領域に現れたり、消えたりする。
【０２８６】
［サブディスプレーの表示の変形例］
《一度に複数の操作ダイヤルのイメージ画像を表示する場合》
図３２は、一度に全ての操作ダイヤルのイメージ画像をサブディスプレーに表示する場合の一例を示す平面図である。
【０２８７】
上記のように、一定時間内に複数の操作ダイヤルが操作された場合、及び、一括表示が指示された場合、一度に複数の操作ダイヤルのイメージ画像が表示される。
【０２８８】
一度に複数の操作ダイヤルのイメージ画像を表示する場合は、少なくとも設定が確認できるように、相互の干渉を回避して、各操作ダイヤルのイメージ画像を表示する。
【０２８９】
同図に示す例では、第１操作ダイヤルＤ１のイメージ画像Ｉｄ１と第３操作ダイヤルＤ３のイメージ画像Ｉｄ３とが互いに重なり合う部分については、表示領域を二分割することにより干渉を回避している。
【０２９０】
図３３は、一度に全ての操作ダイヤルのイメージ画像をサブディスプレーに表示する場合の他の一例を示す平面図である。
【０２９１】
同図には、各操作ダイヤルのイメージ画像の文字盤部分に現在設定されている項目のみを表示する場合の例が示されている。
【０２９２】
なお、イメージ画像の表示は、一定時間内に複数の操作ダイヤルが操作された場合に、操作された操作ダイヤルを対象にして行われる。あるいは、確認ボタンが備えられている場合には、確認ボタンが押下された場合に行われる。
【０２９３】
図３４は、一定時間内に複数の操作ダイヤルが操作された場合のサブディスプレーの表示の他の一例を示す平面図である。
【０２９４】
同図に示すように、操作ダイヤルのイメージ画像を重ねて表示してもよい。この場合、操作した順に重ねて表示する。すなわち、操作した操作ダイヤルのイメージ画像が順番に重なるように表示する。この場合、最後に操作した操作ダイヤルのイメージ画像が最上位に表示される。
【０２９５】
図３４には、一定時間内に第３操作ダイヤルＤ３、第２操作ダイヤルＤ２、第１操作ダイヤルＤ１の順番で操作した場合の例が示されている。この場合、第３操作ダイヤルＤ３のイメージ画像Ｉｄ３の上に第２操作ダイヤルＤ２のイメージ画像Ｉｄ２が重ねて表示され、更に、その第２操作ダイヤルＤ２のイメージ画像Ｉｄ２の上に第１操作ダイヤルＤ１のイメージ画像Ｉｄ１が重ねて表示される。
【０２９６】
このように、最後に操作した操作ダイヤルのイメージ画像が、常に最上位に位置するように重ねて表示することにより、最も必要と想定される情報を優先的に表示できる。
【０２９７】
《操作ダイヤルの設置数及びレイアウト》
本実施の形態では、操作ダイヤルを３つ備える場合を例に説明したが、操作ダイヤルの設置数は、これに限定されるものではない。
【０２９８】
また、上記の例では、サブディスプレー１６の１つの辺に１つの操作ダイヤルを配置しているが、１つの辺に２以上の操作ダイヤルを配置してもよい。
【０２９９】
≪第３の実施の形態≫
本実施の形態のデジタルカメラは、非操作時における表示部の表示形態が上記第１の実施の形態のデジタルカメラと異なる。
【０３００】
本実施の形態のデジタルカメラでは、非操作時に各操作ダイヤルの縮小画像を表示部に表示する。そして、操作ダイヤルが操作された場合、操作された操作ダイヤルのイメージ画像を拡大して表示部に表示する。
【０３０１】
なお、カメラの構成は、上記第１の実施の形態のデジタルカメラ１と同じである。よって、ここでは、第１操作ダイヤルＤ１及び第２操作ダイヤルＤ２の操作に基づく、サブディスプレー１６の表示形態についてのみ説明する。
【０３０２】
［非操作時のサブディスプレーの表示］
図３５は、本実施の形態のデジタルカメラの非操作時におけるサブディスプレーの表示の一例を示す平面図である。
【０３０３】
同図に示すように、第１操作ダイヤルＤ１及び第２操作ダイヤルＤ２が操作されていない場合、サブディスプレー１６には、カメラの設定内容Ｉｃが大きく表示される。
【０３０４】
また、同図に示すように、第１操作ダイヤルＤ１及び第２操作ダイヤルＤ２が操作されていない場合、サブディスプレー１６には、第１操作ダイヤルＤ１の縮小画像Ｉｓ１、及び第２操作ダイヤルＤ２の縮小画像Ｉｓ２が表示される。以下、この縮小した画像を縮小画像Ｉｓ１、Ｉｓ２と称する。
【０３０５】
第１操作ダイヤルＤ１の縮小画像Ｉｓ１は、円形状の外形を有する図形で構成される。第１操作ダイヤルＤ１の縮小画像Ｉｓ１は、第１操作ダイヤルＤ１の近傍に表示される。本実施の形態のデジタルカメラでは、第１操作ダイヤルＤ１の回転軸ａｘ１と同軸上に表示される。
【０３０６】
第２操作ダイヤルＤ２の縮小画像Ｉｓ２は、円形状の外形を有する図形で構成される。第２操作ダイヤルＤ２の縮小画像Ｉｓ２は、第２の操作ダイヤルＤ２の近傍に表示される。
【０３０７】
このように、非操作時において、サブディスプレー１６には、カメラの設定内容Ｉｃと、各操作ダイヤルの縮小画像Ｉｓ１及びＩｓ２が表示される。縮小画像Ｉｓ１及びＩｓ２は、対応する操作ダイヤルの近傍に表示される。実際の操作ダイヤルの最も近くに表示されている縮小画像が対応する縮小画像となる。実際の操作ダイヤルの最も近くに表示されている縮小画像とは、実際の操作ダイヤルの回転軸を基準として、最も近くに表示される縮小画像のことである。
【０３０８】
［操作時のサブディスプレーの表示］
（１）第１操作ダイヤルＤ１を操作した場合
図３６は、第１操作ダイヤルを回転操作した場合のサブディスプレーの表示の一例を示す平面図である。
【０３０９】
同図に示すように、第１操作ダイヤルＤ１を回転操作すると、サブディスプレー１６に第１操作ダイヤルＤ１のイメージ画像Ｉｄ１が表示される。このイメージ画像Ｉｄ１は、縮小画像が拡大することで表示される。この際、縮小画像は、その軸を中心に拡大する。また、拡大時は、アニメーションとして連続的に拡大し、かつ、操作に連動して回転しながら拡大する。これにより、操作と表示とを明確に関連付けられる。
【０３１０】
第１操作ダイヤルＤ１のイメージ画像Ｉｄ１は、実際の第１操作ダイヤルＤ１と同じ外径で構成される。この結果、イメージ画像Ｉｄ１がサブディスプレー１６に表示されると、実際の第１操作ダイヤルＤ１の隠れた部分が、サブディスプレー１６の表示によって補完される。このとき、サブディスプレー１６に表示される第１操作ダイヤルＤ１のイメージ画像Ｉｄ１は、カメラボディ１０から露出した第１操作ダイヤルＤ１の一部を延長した円弧状の外形形状を有する画像となる。
【０３１１】
第１操作ダイヤルＤ１のイメージ画像Ｉｄ１の表示に連動して、カメラの設定内容Ｉｃが余白領域にずれて表示される。
【０３１２】
カメラの設定内容Ｉｃを余白領域に表示する際、必要に応じてサイズ及びレイアウトが変更される。図３６に示す例では、サイズとレイアウトの双方を変更して、カメラの設定内容Ｉｃを余白領域に表示している。
【０３１３】
このように、第１操作ダイヤルＤ１を操作すると、第１操作ダイヤルＤ１の縮小画像Ｉｓ１が拡大し、第１操作ダイヤルＤ１のイメージ画像Ｉｄ１がサブディスプレー１６に表示される。これにより、第１操作ダイヤルＤ１を用いた設定を容易にできる。
【０３１４】
（２）第２操作ダイヤルＤ２を操作した場合
図３７は、第２操作ダイヤルを回転操作した場合のサブディスプレーの表示の一例を示す平面図である。
【０３１５】
同図に示すように、第２操作ダイヤルＤ２を回転操作すると、第２操作ダイヤルＤ２のイメージ画像Ｉｄ２が表示される。第１操作ダイヤルＤ１のイメージ画像Ｉｄ１と同様に、このイメージ画像Ｉｄ２１は、縮小画像が拡大することで表示される。この際、縮小画像は、その軸を中心に拡大する。また、拡大時は、アニメーションとして連続的に拡大し、かつ、操作に連動して回転しながら拡大する。これにより、操作と表示とを明確に関連付けられる。
【０３１６】
また、この第２操作ダイヤルＤ２のイメージ画像Ｉｄ２の表示に連動して、カメラの設定内容Ｉｃが余白領域にずれて表示される。この際、サイズが変更されて表示される。
【０３１７】
このように、第２操作ダイヤルＤ２を操作すると、第２操作ダイヤルＤ２の縮小画像Ｉｓ２が拡大し、第２操作ダイヤルＤ２のイメージ画像Ｉｄ２がサブディスプレー１６に表示される。これにより、第２操作ダイヤルＤ２を用いた設定を容易にできる。
【０３１８】
［変形例］
上記実施の形態では、各操作ダイヤルの縮小画像として、円形状の外形形状を有する画像を使用しているが、縮小画像の構成は、これに限定されるものではない。この他、ドット等で構成することもできる。また、外形形状も多角形状としてもよい。
【０３１９】
また、上記実施の形態では、操作された操作ダイヤルのイメージ画像をサブディスプレー１６に表示する場合に、操作されていない方の操作ダイヤルの縮小画像をそのままサブディスプレー１６に表示しているが、操作されていない方の操作ダイヤルの縮小画像の表示を消してもよい。
【０３２０】
≪第４の実施の形態≫
本実施の形態のデジタルカメラには、各操作ダイヤルへの接触を検出する接触検出部が備えられる。そして、その接触検出部の検出結果応じて表示部への表示が制御される。
【０３２１】
本実施の形態のデジタルカメラは、各操作ダイヤルへの接触を検出する手段が備えられている点以外は、上記第１の実施の形態のデジタルカメラの構成と同じであるので、接触検出に係わる構成、及び、表示部への表示に係わる構成についてのみ説明する。
【０３２２】
［構成］
図３８は、サブディスプレーの表示に関わる制御系のブロック図である。
【０３２３】
本実施の形態のデジタルカメラには、第１操作ダイヤルＤ１への接触を検出する第１接触検出部１３０、及び、第２操作ダイヤルＤ２への接触を検出する第２接触検出部１３２が、更に備えられる。
【０３２４】
第１接触検出部１３０は、接触検出部の一例であり、第１操作ダイヤルＤ１への指の接触を検出する。第１接触検出部１３０は、タッチセンサーで構成される。第１接触検出部１３０は、第１ダイヤルＤ１への指の接触を検出すると、その情報をシステムコントローラー８０に出力する。
【０３２５】
第２接触検出部１３２は、接触検出部の一例であり、第２操作ダイヤルＤ２への接触を検出する。第２接触検出部１３２は、タッチセンサーで構成される。第２接触検出部１３２は、第２ダイヤルＤ２への指の接触を検出すると、その情報をシステムコントローラー８０に出力する。
【０３２６】
サブディスプレー表示制御部１１６は、第１接触検出部１３０及び第２接触検出部１３２からの接触の検出結果に基づいて、サブディスプレー１６の表示を制御する。
【０３２７】
［サブディスプレーの表示］
本実施の形態のデジタルカメラでは、操作ダイヤルへの指の接触が検出されると、接触が検出された操作ダイヤルのイメージ画像がサブディスプレー１６に表示される。更に、接触が検出された操作ダイヤルが回転操作されると、サブディスプレー１６に表示されたイメージ画像が操作に連動して回転する。操作ダイヤルに指が触れられていない場合は、カメラの設定内容のみがサブディスプレー１６に表示される。したがって、本実施の形態のデジタルカメラでは、非接触時と、接触時と、操作時とで、サブディスプレー１６の表示が切り替えられる。以下、各状態でのサブディスプレー１６の表示について説明する。
【０３２８】
《非接触時》
図３９は、非操作時におけるサブディスプレーの表示の一例を示す平面図である。
【０３２９】
非接触時とは、第１操作ダイヤルＤ１及び第２操作ダイヤルＤ２に指が触れられていない場合のことである。この場合、図３９に示すように、サブディスプレー１６には、カメラの設定内容Ｉｃのみが表示される。
【０３３０】
非接触時におけるサブディスプレー１６の表示レイアウトを「非接触時レイアウト」と称する。
【０３３１】
《接触時》
（１）第１操作ダイヤルに触れた場合
図４０は、第１操作ダイヤルに指が触れられた場合のサブディスプレーの表示の一例を示す平面図である。
【０３３２】
第１操作ダイヤルＤ１に指が触れると、サブディスプレー１６に第１操作ダイヤルＤ１のイメージ画像Ｉｄ１が表示される。この第１操作ダイヤルＤ１のイメージ画像Ｉｄ１の表示態様は、上記第１の実施の形態のデジタルカメラと同じである。したがって、サブディスプレー１６に表示される第１操作ダイヤルＤ１のイメージ画像Ｉｄ１は、カメラボディ１０から露出した第１操作ダイヤルＤ１の一部を延長した円弧状の外形形状を有する画像となる。これにより、実際の第１操作ダイヤルＤ１の隠れた部分が、サブディスプレー１６に表示されてイメージ画像Ｉｄ１で補完される。
【０３３３】
第１操作ダイヤルＤ１への指の接触は、第１接触検出部１３０で検出される。第１操作ダイヤルＤ１に指が触れた場合のサブディスプレー１６の表示レイアウトを「第１の接触時レイアウト」と称する。
【０３３４】
（２）第２操作ダイヤルに触れた場合
図４１は、第２操作ダイヤルに指が触れられた場合のサブディスプレーの表示の一例を示す平面図である。
【０３３５】
第２操作ダイヤルＤ２に指が触れると、サブディスプレー１６に第２操作ダイヤルＤ２のイメージ画像Ｉｄ２が表示される。この第２操作ダイヤルＤ２のイメージ画像Ｉｄ２の表示態様は、上記第１の実施の形態のデジタルカメラと同じである。
【０３３６】
第２操作ダイヤルＤ２への指の接触は、第２接触検出部１３２で検出される。第２操作ダイヤルＤ２に指が触れた場合のサブディスプレー１６の表示レイアウトを「第２の接触時レイアウト」と称する。
【０３３７】
《操作時》
（１）第１操作ダイヤルが回転操作された場合
指の接触が検出された後、第１操作ダイヤルＤ１が回転操作されると、その操作に連動して、第１操作ダイヤルＤ１のイメージ画像Ｉｄ１が回転する。
【０３３８】
（２）第2操作ダイヤルが回転操作された場合
指の接触が検出された後、第2操作ダイヤルＤ2が回転操作されると、その操作に連動して、第2操作ダイヤルＤ2のイメージ画像Ｉｄ2が回転する。
【０３３９】
［サブディスプレーへの表示方法］
図４２は、本実施の形態のデジタルカメラにおけるサブディスプレーに対する表示の処理手順を示すフローチャートである。
【０３４０】
デジタルカメラの電源が投入されると、サブディスプレー表示制御部１１６は、デジタルカメラの設定情報を取得する（ステップＳ３０）。取得後、サブディスプレー表示制御部１１６は、非操作時レイアウトでカメラの設定内容をサブディスプレー１６に表示する（ステップＳ３１）。非操作時レイアウトでは、図３９に示すように、カメラの設定内容Ｉｃのみがサブディスプレー１６に表示される。
【０３４１】
この後、サブディスプレー表示制御部１１６は、第１接触検出部１３０及び第２接触検出部１３２からの入力に基づいて、第１操作ダイヤルＤ１及び第２操作ダイヤルＤ２への接触の有無を判定する（ステップＳ３２）。
【０３４２】
第１操作ダイヤルＤ１又は第２操作ダイヤルＤ２への接触ありと判定すると、サブディスプレー表示制御部１１６は、その接触が第１操作ダイヤルＤ１への接触か否かを判定する（ステップＳ３３）。
【０３４３】
ここで、指が接触した操作ダイヤルが、第１操作ダイヤルＤ１であると判定すると、サブディスプレー表示制御部１１６は、第１の接触時レイアウトでカメラの設定内容及び第１操作ダイヤルＤ１のイメージ画像Ｉｄ１をサブディスプレー１６に表示する（ステップＳ３４）。すなわち、図４０に示すように、第１操作ダイヤルＤ１のイメージ画像Ｉｄ１をサブディスプレー１６に表示し、かつ、カメラの設定内容Ｉｃを余白領域に表示する。この際、サブディスプレー表示制御部１１６は、第１操作ダイヤルＤ１のイメージ画像Ｉｄ１をサブディスプレー１６の縁部から表示領域に進出させて表示する。
【０３４４】
この後、サブディスプレー表示制御部１１６は、第１回転操作検出部１２４からの入力に基づいて、第１操作ダイヤルＤ１が回転操作された否かを判定する（ステップＳ３５）。回転操作された場合は、サブディスプレー１６に表示している第１操作ダイヤルＤ１のイメージ画像Ｉｄ１を回転させる（ステップＳ３６）。この回転は、操作に連動して行われる。
【０３４５】
この後、サブディスプレー表示制御部１１６は、第１接触検出部１３０からの入力に基づいて、第１操作ダイヤルＤ１から指が離されたか否かを判定する（ステップＳ３７）。指が離されたと判定すると、指が離されてから一定時間が経過したか否かを判定する（ステップＳ３８）。指が離されてから一定時間が経過したと判定すると、サブディスプレー表示制御部１１６は、非操作時レイアウトでカメラの設定内容をサブディスプレー１６に表示する（ステップＳ３９）。
【０３４６】
この後、サブディスプレー表示制御部１１６は、電源がオフされたか否かを判定する（ステップＳ４０）。電源がオフされた場合は、処理を終了する。一方、電源がオフされていないと判定すると、ステップＳ３２に戻り、第１操作ダイヤルＤ１及び第２操作ダイヤルＤ２への接触の有無を判定する（ステップＳ３２）。
【０３４７】
ステップＳ３３において、接触が検出された操作ダイヤルが第１操作ダイヤルＤ１ではないと判定すると、サブディスプレー表示制御部１１６は、第２の接触時レイアウトでカメラの設定内容Ｉｃ及び第２操作ダイヤルＤ２のイメージ画像Ｉｄ２をサブディスプレー１６に表示する（ステップＳ４１）。すなわち、図４１に示すように、第２操作ダイヤルＤ２のイメージ画像Ｉｄ２をサブディスプレー１６に表示し、かつ、カメラの設定内容Ｉｃを余白領域に表示する。この際、サブディスプレー表示制御部１１６は、第２操作ダイヤルＤ２のイメージ画像Ｉｄ２をサブディスプレー１６の縁部から表示領域に進出させて表示する。
【０３４８】
この後、サブディスプレー表示制御部１１６は、第２回転操作検出部１２６からの入力に基づいて、第２操作ダイヤルＤ２が回転操作された否かを判定する（ステップＳ４２）。回転操作された場合は、サブディスプレー１６に表示している第２操作ダイヤルＤ２のイメージ画像Ｉｄ２を回転させる（ステップＳ４３）。この回転は、操作に連動して行われる。
【０３４９】
この後、サブディスプレー表示制御部１１６は、第２接触検出部１３２からの入力に基づいて、第２操作ダイヤルＤ２から指が離されたか否かを判定する（ステップＳ４４）。指が離されたと判定すると、指が離されてから一定時間が経過したか否かを判定する（ステップＳ４５）。指が離されてから一定時間が経過したと判定すると、サブディスプレー表示制御部１１６は、非操作時レイアウトでカメラの設定内容をサブディスプレー１６に表示する（ステップＳ３９）。
【０３５０】
この後、サブディスプレー表示制御部１１６は、電源がオフされたか否かを判定する（ステップＳ４０）。電源がオフされた場合は、処理を終了する。一方、電源がオフされていないと判定すると、ステップＳ３２に戻り、第１操作ダイヤルＤ１及び第２操作ダイヤルＤ２への接触の有無を判定する（ステップＳ３２）。
【０３５１】
このように、本実施の形態のデジタルカメラでは、操作ダイヤルへの接触を検出し、接触が検出された操作ダイヤルのイメージ画像をサブディスプレー１６に表示する。これにより、カメラボディに備えられる各操作ダイヤルと、サブディスプレーの表示との関連性を明確にでき、良好な操作性を確保できる。また、操作ダイヤルの非接触時には、カメラの設定内容Ｉｃの視認性を確保できる。
【０３５２】
［変形例］
《非接触時の表示形態の変形例》
上記実施の形態では、非接触時にカメラの設定内容Ｉｃのみをサブディスプレー１６に表示しているが、上記第１の実施の形態と同様に、非接触時に各操作ダイヤルのイメージ画像の一部を縁部から表示してもよい。この場合、接触が検出されると、接触が検出された操作ダイヤルのイメージ画像を縁部から表示領域に進出させて表示する。そして、回転操作された場合は、その操作に連動させてイメージ画像を回転させる。このように非接触時に操作ダイヤルのイメージ画像の一部を表示部に表示しておくことにより、イメージ画像が表示される位置及び形状を容易に把握でき、より高い操作性を実現できる。
【０３５３】
同様に、第３の実施の形態のデジタルカメラのように、非接触時に縮小画像を表示してもよい。この場合、接触が検出されると、接触が検出された操作ダイヤルの縮小画像を拡大し、イメージ画像をサブディスプレー１６に表示する。そして、回転操作された場合は、その操作に連動させてイメージ画像を回転させる。
【０３５４】
《接触時の表示形態の変形例》
上記実施の形態では、接触が検出された操作ダイヤルのイメージ画像を表示する際、サブディスプレーの縁部から表示領域に進出させて表示する構成としているが、イメージ画像を表示する際の表示形態は、これに限定されるものではない。この他、たとえば、点の状態から拡大しながら表示するようにしてもよい。
【０３５５】
≪第５の実施の形態≫
上記実施の形態のデジタルカメラでは、操作ダイヤルへの接触が検出されると、接触が検出された操作ダイヤルのイメージ画像が表示部に表示される。
【０３５６】
本実施の形態のデジタルカメラでは、操作ダイヤルへの接触が検出されると、接触が検出された操作ダイヤルのイメージ画像の一部がサブディスプレーの縁部から表示される。そして、回転操作されると、イメージ画像が縁部から表示領域に進出して表示される。
【０３５７】
なお、デジタルカメラの構成は、上記第４の実施の形態のデジタルカメラと同じなので、ここでは、サブディスプレー１６への表示についてのみ説明する。
【０３５８】
［サブディスプレーの表示］
《非接触時》
非操作時におけるサブディスプレー１６の表示は、上記第４の実施の形態と同じである。すなわち、サブディスプレー１６には、カメラの設定内容Ｉｃのみが表示される（図３９参照）。
【０３５９】
《接触時》
（１）第１操作ダイヤルに触れた場合
図４３は、第１操作ダイヤルに指が触れた場合のサブディスプレーの表示の一例を示す平面図である。
【０３６０】
第１操作ダイヤルＤ１に指が触れると、第１操作ダイヤルＤ１のイメージ画像Ｉｄ１の一部が、サブディスプレー１６の縁部から表示される。
【０３６１】
ここで、イメージ画像は、図４３に示すように、文字盤部分に現在の設定値が表示された画像で構成される。
【０３６２】
図４３は、第１操作ダイヤルＤ１にシャッタースピードを設定する機能が割り当てられた場合の例を示しており、現在設定されているシャッタースピードが１／６０秒の場合の例を示している。この場合、外形を画定する円の内側（文字盤部分）に現在設定されているシャッタースピードである「１／６０」が表示される。
【０３６３】
（２）第２操作ダイヤルに触れた場合
図４４は、第２操作ダイヤルに指が触れられた場合のサブディスプレーの表示の一例を示す平面図である。
【０３６４】
第２操作ダイヤルＤ２に指が触れると、第２操作ダイヤルＤ２のイメージ画像Ｉｄ２の一部が、サブディスプレー１６の縁部から表示される。
【０３６５】
図４４は、第２操作ダイヤルＤ２に露出補正値を設定する機能が割り当てられた場合の例を示しており、現在設定されている露出補正値が−２の場合の例を示している。この場合、外形を画定する円の内側（文字盤部分）に現在設定されている露出補正値である「−２」が表示される。
【０３６６】
《操作時》
（１）第１操作ダイヤルが回転操作された場合
図４５は、第１操作ダイヤルが回転操作された場合のサブディスプレーの表示の一例を示す平面図である。
【０３６７】
第１操作ダイヤルＤ１が回転操作されると、第１操作ダイヤルＤ１のイメージ画像Ｉｄ１が、サブディスプレー１６の縁部から表示領域に進出して表示される。この際、操作に連動して、外周部分が回転しながら表示領域に進出する。
【０３６８】
（２）第２操作ダイヤルが回転操作された場合
図４６は、第２操作ダイヤルが回転操作された場合のサブディスプレーの表示の一例を示す平面図である。
【０３６９】
第２操作ダイヤルＤ２が回転操作されると、第２操作ダイヤルＤ２のイメージ画像Ｉｄ２が、サブディスプレー１６の縁部から表示領域に進出して表示される。この際、操作に連動して、外周部分が回転しながら表示領域に進出する。
【０３７０】
このように、本実施の形態のデジタルカメラでは、接触が検出されると、接触が検出された操作ダイヤルのイメージ画像の一部がサブディスプレーの縁部から表示され、文字盤に表示された設定値の情報を確認できる。これにより、操作ダイヤルで設定する項目の情報、及び、その現在の設定値を容易に確認できる。
【０３７１】
なお、操作ダイヤルに割り当てられた機能の設定値をイメージ画像の文字盤部分に表示する場合において、その設定値がカメラの設定内容としてサブディスプレー１６に表示される場合、イメージ画像の表示に連動させて、当該項目の表示を削除してもよい。たとえば、上記実施の形態では、カメラの設定内容として、シャッタースピード、絞り値、感度及び撮影可能枚数の情報が表示される。この場合、操作ダイヤルにシャッタースピード、絞り値、又は、感度を設定する機能が割り当てられた場合は、そのイメージ画像の表示に連動させて、カメラの設定内容として表示する項目から当該項目の表示を削除する。上記実施の形態では、第１操作ダイヤルＤ１にシャッタースピードを設定する機能が割り当てられているので、第１操作ダイヤルＤ１のイメージ画像Ｉｄ１を表示する際、カメラの設定内容Ｉｃとして表示する項目からシャッタースピードの情報を削除している（図４３及び図４５参照）。これにより、重複した情報の表示を避けて、サブディスプレー１６の表示スペースを有効利用できる。
【０３７２】
［変形例］
上記実施の形態では、接触が検出されると、接触が検出された操作ダイヤルのイメージ画像の一部をサブディスプレーの縁部から表示しているが、接触が検出された場合は、サブディスプレー１６に操作ダイヤルの縮小画像を表示してもよい。
【０３７３】
図４７は、接触が検出された場合に操作ダイヤルの縮小画像を表示する場合のサブディスプレーの表示の一例を示す平面図である。
【０３７４】
図４７は、第１操作ダイヤルＤ１への指の接触が検出され場合の表示例を示している。同図に示すように、第１操作ダイヤルＤ１への指の接触が検出された場合、第1操作ダイヤルＤ１の縮小画像Ｉｓ１をサブディスプレー１６に表示する。その際、文字盤部分に現在の設定値を表示する。これにより、操作ダイヤルで設定する項目の情報、及び、その現在の設定値を容易に確認できる。
【０３７５】
≪第６の実施の形態≫
本実施の形態のデジタルカメラには、操作ダイヤルをロックする手段が備えられ、操作ダイヤルのロック状態に応じて表示部の表示が切り替えられる。ロックする手段が備えられる他は、上述した第１の実施の形態のデジタルカメラと同じである。したがって、ここでは、操作ダイヤルのロックに係わる構成、および、そのロックに関連したサブディスプレーの表示についてのみ説明する。
【０３７６】
図４８は、本実施の形態のデジタルカメラの外観構成を示す背面図である。図４９は、本実施の形態のデジタルカメラの外観構成を示す平面図である。
【０３７７】
図４８及び図４９に示すように、本実施の形態のデジタルカメラ１には、第１操作ダイヤルＤ１を電子的にロックするための第１操作ダイヤルロックスイッチ１４０、及び、第２操作ダイヤルＤ２を電子的にロックするための第２操作ダイヤルロックレバー１４２が備えられる。
【０３７８】
図４８に示すように、第１操作ダイヤルロックスイッチ１４０は、第１操作ダイヤルＤ１の近傍に配置される。第１操作ダイヤルロックスイッチ１４０は、スライド式のスイッチで構成される。第１操作ダイヤルロックスイッチ１４０をロック位置に位置させると、第１操作ダイヤルＤ１が電子的にロックされる。第１操作ダイヤルロックスイッチ１４０をロック解除位置に位置させると、第１操作ダイヤルＤ１の電子的なロックが解除される。
【０３７９】
図４９に示すように、第２操作ダイヤルロックレバー１４２は、第２操作ダイヤルＤ２の同軸上に配置される。第２操作ダイヤルロックレバーは、回転式のレバーで構成される。第２操作ダイヤルロックレバー１４２をロック位置に位置させると、第２操作ダイヤルＤ２が電子的にロックされる。第２操作ダイヤルロックレバー１４２をロック解除位置に位置させると、第２操作ダイヤルＤ２の電子的なロックが解除される。
【０３８０】
図５０は、サブディスプレーの表示に関わる制御系のブロック図である。
【０３８１】
本実施の形態のデジタルカメラには、第１操作ダイヤルロックスイッチ１４０からの操作情報に基づいて、操作ダイヤルＤ１を電子的にロックする第１操作ダイヤルロック部１４４と、第２操作ダイヤルロックレバー１４２からの操作情報に基づいて、第２操作ダイヤルＤ２を電子的にロックする第２操作ダイヤルロック部１４６とが備えられる。
【０３８２】
第１操作ダイヤルロック部１４４は、第１操作ダイヤルロックスイッチ１４０がロック位置に設定されると、第１操作ダイヤルＤ１を電子的にロックする。第１操作ダイヤルＤ１が電子的にロックされることにより、第１操作ダイヤルＤ１を操作しても、その操作が無効となる。すなわち、第１操作ダイヤルＤ１を回転操作しても、設定が変更されなくなる。
【０３８３】
第１操作ダイヤルロック部１４４は、システムコントローラー８０の一機能として提供される。すなわち、マイクロコンピューターが、所定の制御プログラムを実行することにより、システムコントローラー８０が第１操作ダイヤルロック部１４４の機能を提供する。
【０３８４】
第１操作ダイヤルロックスイッチ１４０と第１操作ダイヤルロック部１４４とが協働して、第１操作ダイヤルＤ１のロック部を構成する。
【０３８５】
第２操作ダイヤルロック部１４６は、第２操作ダイヤルロックレバー１４２がロック位置に設定されると、第２操作ダイヤルＤ２を電子的にロックする。
【０３８６】
第２操作ダイヤルロック部１４６は、システムコントローラー８０の一機能として提供される。すなわち、マイクロコンピューターが、所定の制御プログラムを実行することにより、システムコントローラー８０が第２操作ダイヤルロック部１４６の機能を提供する。
【０３８７】
第２操作ダイヤルロックレバー１４２と第２操作ダイヤルロック部１４６とが協働して、第２操作ダイヤルＤ２のロック部を構成する。
【０３８８】
サブディスプレー表示制御部１１６は、第１操作ダイヤルＤ１及び第２操作ダイヤルＤ２のロック状態に応じて、サブディスプレー１６の表示を制御する。
【０３８９】
［サブディスプレーの表示］
本実施の形態のデジタルカメラでは、操作ダイヤルのロックが解除されると、操作ダイヤルのイメージ画像の一部がサブディスプレー１６の縁部から表示される。そして、操作ダイヤルを操作すると、操作した操作ダイヤルのイメージ画像が縁部から表示領域に現れる。
【０３９０】
《ロック時》
図５１は、第１操作ダイヤル及び第２操作ダイヤルの双方がロックされた場合のサブディスプレーの表示の一例を示す平面図である。
【０３９１】
第１操作ダイヤルＤ１及び第２操作ダイヤルＤ２の双方がロックされている場合、サブディスプレー１６に操作ダイヤルのイメージ画像は表示されない。すなわち、この場合、カメラの設定内容Ｉｃのみがサブディスプレー１６に表示される。
【０３９２】
操作ダイヤルがロックされている場合、操作ダイヤルを回転操作しても、その操作は無効であり、設定値は変更されない。なお、この場合、所定のエラーメッセージをサブディスプレー１６に表示してもよい。
【０３９３】
《ロックが解除された場合》
図５２は、第１操作ダイヤル及び第２操作ダイヤルのロックが解除された場合のサブディスプレーの表示の一例を示す平面図である。
【０３９４】
第１操作ダイヤルＤ１及び第２操作ダイヤルＤ２のロックが解除されると、第１操作ダイヤルＤ１のイメージ画像Ｉｄ１の一部、及び、第２操作ダイヤルＤ２のイメージ画像Ｉｄ２の一部が、サブディスプレー１６の縁部から表示される。
【０３９５】
なお、第１操作ダイヤルＤ１だけがロック解除された場合、第１操作ダイヤルＤ１のイメージ画像Ｉｄ１だけが、サブディスプレー１６の縁部から表示される。同様に第２操作ダイヤルＤ２だけがロック解除された場合、第２操作ダイヤルＤ２のイメージ画像Ｉｄ２だけが、サブディスプレー１６の縁部から表示される。
【０３９６】
《操作された場合》
（１）第１操作ダイヤルが回転操作された場合
図５３は、ロックを解除して第１操作ダイヤルを操作した場合のサブディスプレーの表示の一例を示す平面図である。
【０３９７】
ロックが解除された第１操作ダイヤルＤ１を回転操作すると、第１操作ダイヤルＤ１のイメージ画像Ｉｄ１がサブディスプレー１６の縁部から表示領域に進出して表示される。この際、操作に連動して回転しながら、イメージ画像Ｉｄ１が縁部から表示される。
【０３９８】
（１）第２操作ダイヤルが回転操作された場合
図５４は、ロックを解除して第２操作ダイヤルを操作した場合のサブディスプレーの表示の一例を示す平面図である。
【０３９９】
ロックが解除された第２操作ダイヤルＤ２を回転操作すると、第２操作ダイヤルＤ２のイメージ画像Ｉｄ２がサブディスプレー１６の縁部から表示領域に進出して表示される。この際、操作に連動して回転しながら、イメージ画像Ｉｄ２が縁部から表示される。
【０４００】
このように、本実施の形態のデジタルカメラによれば、ロックが解除されている場合にのみ、操作ダイヤルのイメージ画像がサブディスプレー１６に表示される。これにより、必要な場合にのみ操作ダイヤルのイメージ画像をサブディスプレー１６に表示でき、サブディスプレー１６の表示領域を有効利用できる。
【０４０１】
［変形例］
上記実施の形態では、ロックを解除した際、ロックを解除した操作ダイヤルのイメージ画像の一部をサブディスプレーの縁部から表示させる構成としているが、操作ダイヤルの縮小画像を表示する構成としてもよい。
【０４０２】
≪第７の実施の形態≫
本実施の形態のデジタルカメラには、上記第７の実施の形態のデジタルカメラに対して、各操作ダイヤルへの接触を検出する接触検出部が更に備えられる。そして、その接触検出部の検出結果応じて表示部への表示が制御される。ここで、接触検出に係わる構成、及び、表示部への表示に係わる構成についてのみ説明する。
【０４０３】
［構成］
図５５は、サブディスプレーの表示に関わる制御系のブロック図である。
【０４０４】
本実施の形態のデジタルカメラには、第１操作ダイヤルＤ１への接触を検出する第１接触検出部１３０、及び、第２操作ダイヤルＤ２への接触を検出する第２接触検出部１３２が、更に備えられる。
【０４０５】
第１接触検出部１３０及び第２接触検出部１３２の構成は、上記第４の実施の形態のデジタルカメラに備えられたものと同じである。いずれもタッチセンサーで構成され、接触を検出すると、その情報をシステムコントローラー８０に出力する。
【０４０６】
サブディスプレー表示制御部１１６は、第１操作ダイヤルＤ１のロック状態及び第２操作ダイヤルＤ２のロック状態、並びに、第１接触検出部１３０及び第２接触検出部１３２からの接触の検出結果に基づいて、サブディスプレー１６の表示を制御する。
【０４０７】
［サブディスプレーの表示］
本実施の形態のデジタルカメラでは、操作ダイヤルのロックが解除されると、操作ダイヤルのイメージ画像の一部がサブディスプレー１６の縁部から表示される。そして、操作ダイヤルへの接触が検出されると、接触が検出された操作ダイヤルのイメージ画像が縁部から表示領域に現れる。更に、接触が検出された操作ダイヤルが回転操作されると、その回転に連動してイメージ画像が回転する。
【０４０８】
《ロック時》
第１操作ダイヤルＤ１及び第２操作ダイヤルＤ２の双方がロックされている場合、サブディスプレー１６に操作ダイヤルのイメージ画像は表示されない（図５１参照）。すなわち、この場合、カメラの設定内容Ｉｃのみがサブディスプレー１６に表示される。
【０４０９】
操作ダイヤルがロックされている場合、操作ダイヤルを回転操作しても、その操作は無効であり、設定値は変更されない。なお、この場合、所定のエラーメッセージをサブディスプレー１６に表示してもよい。
【０４１０】
《ロックが解除された場合》
第１操作ダイヤルＤ１及び第２操作ダイヤルＤ２のロックが解除されると、第１操作ダイヤルＤ１のイメージ画像Ｉｄ１及び第２操作ダイヤルＤ２のイメージ画像Ｉｄ２の一部が、サブディスプレー１６の縁部から表示される（図５２参照）。
【０４１１】
なお、第１操作ダイヤルＤ１だけがロック解除された場合、第１操作ダイヤルＤ１のイメージ画像Ｉｄ１だけが、サブディスプレー１６の縁部から表示される。同様に第２操作ダイヤルＤ２だけがロック解除された場合、第２操作ダイヤルＤ２のイメージ画像Ｉｄ２だけが、サブディスプレー１６の縁部から表示される。
【０４１２】
《接触時》
（１）ロック解除中の第１操作ダイヤルに触れた場合
ロック解除中の第１操作ダイヤルＤ１に指が触れると、第１操作ダイヤルＤ１のイメージ画像Ｉｄ１が縁部から表示領域に進出して表示される（図５３参照）。
【０４１３】
（２）ロック解除中の第２操作ダイヤルに触れた場合
ロック解除中の第２操作ダイヤルＤ２に指が触れると、第２操作ダイヤルＤ２のイメージ画像Ｉｄ２が縁部から表示領域に進出して表示される（図５４参照）。
【０４１４】
《操作時》
（１）第１操作ダイヤルが回転操作された場合
ロック解除中の第１操作ダイヤルＤ１が回転操作されると、その操作に連動して、第１操作ダイヤルＤ１のイメージ画像Ｉｄ１が回転する。
【０４１５】
（２）第2操作ダイヤルが回転操作された場合
ロック解除中の第2操作ダイヤルＤ2が回転操作されると、その操作に連動して、第2操作ダイヤルＤ2のイメージ画像Ｉｄ2が回転する。
【０４１６】
このように、本実施の形態のデジタルカメラでは、ロックが解除されると、操作ダイヤルのイメージ画像の一部がサブディスプレー１６の縁部から表示される。そして、ロック解除中の操作ダイヤルに指が触れると、そのイメージ画像が縁部から表示領域に進出して表示される。これにより、必要な場合にのみ操作ダイヤルのイメージ画像をサブディスプレー１６に表示でき、サブディスプレー１６の表示領域を有効利用できる。
【０４１７】
［変形例］
《変形例（１）》
上記実施の形態では、第１操作ダイヤルＤ１及び第２操作ダイヤルＤ２のロックが解除された場合に第１操作ダイヤルＤ１のイメージ画像Ｉｄ１の一部、及び、第２操作ダイヤルＤ２のイメージ画像Ｉｄ２の一部をサブディスプレー１６の縁部から表示しているが、カメラの設定内容Ｉｃのみをサブディスプレー１６に表示してもよい。
【０４１８】
この場合、操作ダイヤルへの接触を検出すると、接触を検出した操作ダイヤルのイメージ画像の一部をサブディスプレー１６の縁部から表示する。あるいは、接触を検出した操作ダイヤルのイメージ画像を直接サブディスプレー１６に表示する。一部を縁部から表示する場合は、上記第５の実施の形態のように、文字盤部分に設定情報を表示してもよい。
【０４１９】
《変形例（２）》
上記実施の形態では、ロックを解除した際、ロックを解除した操作ダイヤルのイメージ画像の一部をサブディスプレーの縁部から表示させる構成としているが、操作ダイヤルの縮小画像をサブディスプレーに表示する構成としてもよい。
【０４２０】
≪その他の実施の形態≫
［表示部の他の実施の形態］
上記実施の形態では、表示部を構成するサブディスプレーを反射型のＬＣＤで構成しているが、表示部を構成するディスプレーは、これに限定されるものではない。この他、たとえば、電子ペーパー、メモリ液晶ディスプレー、有機ＥＬディスプレー（EL:ElectroLuminescent）等の自発光式ディスプレー等でディスプレーを構成することもできる。
【０４２１】
電子ペーパーとは、紙と同レベルの薄さ、視認性を備えた薄型ディスプレーのことであり、表示内容を書き換えられるものをいう。メモリ液晶ディスプレーとは、電源をオフしても、画面に表示させた内容を維持できる機能を備えた液晶ディスプレーのことである。いずれも周囲が明るい環境でも良好な視認性を確保できる。また、カメラの電源をオフした場合であっても表示部の表示を確認できる。
【０４２２】
また、サブディスプレーをＬＣＤで構成する場合、反射型ＬＣＤで構成することにより、明るい環境でも良好な視認性を確保できる。なお、ディスプレーを反射型ＬＣＤで構成する場合、照明を備えることが好ましい。
【０４２３】
［操作ダイヤルをロックする手段の他の例］
上記実施の形態では、操作ダイヤルを電子的にロックする構成としているが、メカニカルにロックする構成としてもよい。
【０４２４】
また、操作ダイヤルを電子的にロックする場合において、そのロック及びロックの解除を指示する方法は、上記実施の形態のものに限定されるものではない。たとえば、押込み操作が可能な操作ダイヤルの場合、押込み操作によって、ロック及びロック解除を指示してもよい。
【０４２５】
［接触を検出する手段の他の例］
上記実施の形態では、操作ダイヤルの接触を検出する手段として、タッチセンサーを使用しているが、操作ダイヤルへの接触を検出する手段は、これに限定されるものではない。たとえば、操作ダイヤルに対して指が一定距離近づいたことを光学式のセンサーで検出して、間接的に操作ダイヤルへの指の接触を検出する構成としてもよい。
【０４２６】
［カメラの他の実施の形態］
上記実施の形態では、本発明をデジタルカメラに適用した場合を例に説明したが、本発明の適用は、これに限定されるものではない。銀塩フイルムを使用したカメラにも同様に適用できる。この他、回転式の操作ダイヤルを組み込んだ電子機器にも適用できる。
【０４２７】
また、上記実施の形態では、レンズ交換式のカメラに本発明を適用した場合を例に説明したが、レンズ一体式のカメラにも同様に適用できる。
【０４２８】
更に、上記実施の形態では、ノンレフレックス型のカメラに本発明を適用した場合を例に説明したが、レフレックス型のカメラにも同様に適用できる。
【符号の説明】
【０４２９】
１  デジタルカメラ
２  レンズ
２ａ  レンズ駆動部
１０  カメラボディ
１２  レンズマウント
１４  メインディスプレー
１６  サブディスプレー
１８  電子ビューファインダー
２０  ホットシュー
２２  グリップ
２４  サムレスト
３０  シャッターボタン
３１  電源レバー
３２  モードダイヤル
３３  確認ボタン
３４  再生ボタン
３５  消去ボタン
３６  ＡＦロックボタン
３７  ＡＥロックボタン
３８  メニュー／ＯＫボタン
３９  セレクターボタン
４０  表示／ＢＡＣＫボタン
５０  イメージセンサー
５２  イメージセンサー駆動部
５４  シャッター
５６  シャッター駆動部
５８  アナログ信号処理部
６０  画像データ入力部
６２  ワークメモリ
６４  データメモリ
６６  デジタル信号処理部
６８  記録制御部
７０  メインディスプレー駆動部
７２  サブディスプレー駆動部
７４  操作部
７８  メモリーカード
８０  システムコントローラー
１００  サブディスプレーの表示に関わる制御系
１１０  機能設定部
１１２  第１設定部
１１４  第２設定部
１１６  サブディスプレー表示制御部
１２４  第１回転操作検出部
１２６  第２回転操作検出部Ｄ１  第１操作ダイヤル
Ｄ２  第２操作ダイヤル
Ｄ３  第３操作ダイヤル
Ｉｃ  デジタルカメラの設定内容
Ｉｃ１  シャッタースピードの情報
Ｉｃ２  絞り値の情報
Ｉｃ３  感度の情報
Ｉｃ４  撮影可能枚数の情報
Ｉｄ  操作ダイヤルのイメージ画像
Ｉｄ１  第１操作ダイヤルのイメージ画像
Ｉｄ１ａ  第１操作ダイヤルのイメージ画像
Ｉｄ１ｂ  第１操作ダイヤルのイメージ画像
Ｉｄ２  第２操作ダイヤルのイメージ画像
Ｉｄ３  第３操作ダイヤルのイメージ画像
Ｉｉ  指標のイメージ画像
Ｉｉ１  指標のイメージ画像
Ｉｉ２  指標のイメージ画像
Ｉｉ３  指標のイメージ画像
Ｌ  光軸
ａｘ１  第１操作ダイヤルの回転軸
ａｘ２  第２操作ダイヤルの回転軸
１ｂ  第１操作ダイヤルの反時計回りの回転方向
１ｆ  第１操作ダイヤルの時計回りの回転方向
２ｂ  第２操作ダイヤルの反時計回りの回転方向
２ｆ  第２操作ダイヤルの時計回りの回転方向
Ｓ１０〜Ｓ２４  サブディスプレーの表示処理の手順
【図１】
0006467560.tif 000002
【図２】
0006467560.tif 000003
【図３】
0006467560.tif 000004
【図４】
0006467560.tif 000005
【図５】
0006467560.tif 000006
【図６】
0006467560.tif 000007
【図７】
0006467560.tif 000008
【図８】
0006467560.tif 000009
【図９】
0006467560.tif 000010
【図１０】
0006467560.tif 000011
【図１１】
0006467560.tif 000012
【図１２】
0006467560.tif 000013
【図１３】
0006467560.tif 000014
【図１４】
0006467560.tif 000015
【図１５】
0006467560.tif 000016
【図１６】
0006467560.tif 000017
【図１７】
0006467560.tif 000018
【図１８】
0006467560.tif 000019
【図１９】
0006467560.tif 000020
【図２０】
0006467560.tif 000021
【図２１】
0006467560.tif 000022
【図２２】
0006467560.tif 000023
【図２３】
0006467560.tif 000024
【図２４】
0006467560.tif 000025
【図２５】
0006467560.tif 000026
【図２６】
0006467560.tif 000027
【図２７】
0006467560.tif 000028
【図２８】
0006467560.tif 000029
【図２９】
0006467560.tif 000030
【図３０】
0006467560.tif 000031
【図３１】
0006467560.tif 000032
【図３２】
0006467560.tif 000033
【図３３】
0006467560.tif 000034
【図３４】
0006467560.tif 000035
【図３５】
0006467560.tif 000036
【図３６】
0006467560.tif 000037
【図３７】
0006467560.tif 000038
【図３８】
0006467560.tif 000039
【図３９】
0006467560.tif 000040
【図４０】
0006467560.tif 000041
【図４１】
0006467560.tif 000042
【図４２】
0006467560.tif 000043
【図４３】
0006467560.tif 000044
【図４４】
0006467560.tif 000045
【図４５】
0006467560.tif 000046
【図４６】
0006467560.tif 000047
【図４７】
0006467560.tif 000048
【図４８】
0006467560.tif 000049
【図４９】
0006467560.tif 000050
【図５０】
0006467560.tif 000051
【図５１】
0006467560.tif 000052
【図５２】
0006467560.tif 000053
【図５３】
0006467560.tif 000054
【図５４】
0006467560.tif 000055
【図５５】
0006467560.tif 000056